(57)【要約】本発明は、吸入ファンが装着された胴体、前記胴体の上部に配置された第１発光モジュール設置部、及び前記胴体の下部に配置された捕集部、を含む捕虫器に関する。
2019525745.tif 000002
【特許請求の範囲】
【請求項１】
吸入ファンが装着された胴体、
前記胴体の上部に配置された第１発光モジュール設置部、及び
前記胴体の下部に配置された捕集部、
を含む、捕虫器。
【請求項２】
前記第１発光モジュール設置部は、前記第１発光モジュール設置部に設置される第１発光モジュールの少なくとも一部に対応するように装着可能な第１発光モジュールカバーを含む、請求項１に記載の捕虫器。
【請求項３】
前記第１発光モジュールカバーは、
前面、及び
前記前面の少なくとも一辺に設けられるカバー枠部、
を含み、
前記前面は、前記カバー枠部より厚さが薄い、請求項２に記載の捕虫器。
【請求項４】
前記第１発光モジュールカバーは、前記カバー枠部から突出した突出部を含む、請求項３に記載の捕虫器。
【請求項５】
前記突出部は、
前記カバー枠部から延長され、長さ方向に形成されたカバー突出部、及び
前記カバー枠部から延長され、高さ方向に形成されたカバー段部、
を含み、
前記カバー突出部及び前記カバー段部は、前記第１発光モジュールカバーにおいてそれぞれ異なる面に配置された、請求項４に記載の捕虫器。
【請求項６】
前記第１発光モジュール設置部は、
第１発光モジュール挿入溝、
カバー挿入溝、
前記カバー挿入溝において前記第１発光モジュール挿入溝が配置された方向に設けられたカバー段部ガイド部、及び
前記カバー挿入溝において前記第１発光モジュール挿入溝から遠くなる方向に設けられたカバー突出部ガイド部、
を含む、請求項５に記載の捕虫器。
【請求項７】
前記カバー段部ガイド部及び前記カバー突出部ガイド部には、前記カバー挿入溝を挟んで段差が設けられた、請求項６に記載の捕虫器。
【請求項８】
前記第１発光モジュール設置部上に装着可能な屋根をさらに含み、
前記屋根には、前記第１発光モジュール及び前記第１発光モジュールカバーのうち少なくともいずれか一つを圧着する圧着部が設けられた、請求項２に記載の捕虫器。
【請求項９】
前記圧着部は、前記第１発光モジュールカバーが装着される方向に突出した圧着部突出部をさらに含む、請求項８に記載の捕虫器。
【請求項１０】
前記圧着部突出部は、前記第１発光モジュールカバーを、前記カバー段部が設けられた面から前記カバー突出部が設けられた面の方向に圧着する、請求項９に記載の捕虫器。
【請求項１１】
前記第１発光モジュールカバーには、前記第１発光モジュールが挿入可能になるように開口された空間が設けられ、前記第１発光モジュールカバーの少なくとも一面は透明領域を含む、請求項２に記載の捕虫器。
【請求項１２】
前記第１発光モジュールカバーは、外部に突出した突出板を含む、請求項１１に記載の捕虫器。
【請求項１３】
前記第１発光モジュールカバーは載置部をさらに含み、前記第１発光モジュールカバーが前記第１発光モジュール設置部に載置される、請求項１１に記載の捕虫器。
【請求項１４】
前記第１発光モジュール設置部上に装着可能な屋根をさらに含み、
前記第１発光モジュール設置部には開口部が設けられ、前記第１発光モジュールカバーの少なくとも一部が前記開口部に引き込まれ、前記載置部によって前記第１発光モジュール設置部に載置され、前記屋根が前記第１発光モジュール設置部及び前記第１発光モジュールカバー上に装着される形態である、請求項１３に記載の捕虫器。
【請求項１５】
前記第１発光モジュール設置部と前記第１発光モジュールカバーとの間にパッキング部材がさらに装着可能な、請求項１４に記載の捕虫器。
【請求項１６】
前記載置部の少なくとも一部は、前記載置部との間に段差が形成された結合部を含む、請求項１３に記載の捕虫器。
【請求項１７】
前記第１発光モジュールカバーは、前記第１発光モジュールの挿入を案内する第１発光モジュール挿入溝を含む、請求項１１に記載の捕虫器。
【請求項１８】
前記第１発光モジュールカバーは、全部が透明領域を含む、請求項１１に記載の捕虫器。
【請求項１９】
前記胴体の下部に配置された空気集塵部をさらに含み、
前記空気集塵部は、前記吸入ファンから遠くなるほど直径が狭くなるテーパー形状である、請求項１に記載の捕虫器。
【請求項２０】
前記空気集塵部は、垂直断面の勾配が異なる２以上の区間を含む、請求項１９に記載の捕虫器。
【請求項２１】
前記空気集塵部は、空気集塵部入口部、空気集塵部中間部、及び空気集塵部吐出口を含み、垂直断面の勾配のサイズが空気集塵部吐出口＞空気集塵部入口部＞空気集塵部中間部の順である、請求項１９に記載の捕虫器。
【請求項２２】
前記空気集塵部吐出口は、前記捕集部の方向に延長されたシリンダー形状である、請求項２１に記載の捕虫器。
【請求項２３】
前記空気集塵部は、前記吸入ファンによって流入した空気を通過させるための複数の空気集塵部格子、及び前記複数の空気集塵部格子の間に設けられた空気集塵部側面口を含む、請求項１９に記載の捕虫器。
【請求項２４】
前記空気集塵部格子のそれぞれは、長さ及び幅を有する二つの棒形状部分を、幅の一部が重畳するように重ねた形状を有し、一つの空気集塵部格子の上側に配置された部分は、隣り合う空気集塵部格子の下側に配置された部分の近くに配置された、請求項２３に記載の捕虫器。
【請求項２５】
前記胴体は、前記吸入ファンの下部に設置された第２発光モジュール設置部を含む、請求項１に記載の捕虫器。
【請求項２６】
前記第２発光モジュール設置部の下部に配置される光触媒フィルターをさらに含む、請求項２５に記載の捕虫器。
【請求項２７】
前記第２発光モジュール設置部には、前記光触媒フィルターの方向に光を照射するように設置される第２発光モジュールが装着される、請求項２６に記載の捕虫器。
【請求項２８】
前記第２発光モジュールは、第２発光ダイオードチップが実装されていない面が前記吸入ファンに対応するように配置された、請求項２７に記載の捕虫器。
【請求項２９】
前記胴体の下部に配置され、前記吸入ファンから遠くなるほど直径が狭くなるテーパー形状である空気集塵部をさらに含み、
前記第２発光モジュール設置部の下部に配置され、前記空気集塵部から延長される形態である光触媒フィルター設置部を有する、請求項２５に記載の捕虫器。
【請求項３０】
前記第２発光モジュール設置部の下部に延長されて形成され、前記第２発光モジュール設置部において第２発光モジュールが実装される領域を覆う形態である第２突出部を有する、請求項２５に記載の捕虫器。
【請求項３１】
前記胴体上に配置される昆虫通過部、及び
前記吸入ファンの上部で結合されて動力を伝達するモーター、
をさらに含み、
前記昆虫通過部は、下面に突出し、前記モーターの上部に配置された第１突出部を有する、請求項１に記載の捕虫器。
【請求項３２】
前記捕虫器の周辺光の照度を検出する照度センサーをさらに含む、請求項１に記載の捕虫器。
【請求項３３】
前記胴体上に前記第１発光モジュール設置部を離隔させて支持する第１発光モジュール設置部支持台をさらに含み、前記第１発光モジュール設置部支持台は、第１発光モジュールから放出される光を遮らないように前記第１発光モジュールの側面方向に配置され、
前記照度センサーは前記第１発光モジュール設置部支持台に設置される、請求項３２に記載の捕虫器。
【請求項３４】
前記第１発光モジュール設置部支持台は、所定の長さ及び厚さを有し、
前記照度センサーは、前記第１発光モジュール設置部支持台において前記第１発光モジュールが設置された方向の反対方向に設置され、前記第１発光モジュールから放出される光が前記照度センサーに照射されない形態である、請求項３３に記載の捕虫器。
【請求項３５】
前記第１発光モジュール設置部は、第１発光モジュールが上部から下部の方向に挿入され、前記第１発光モジュールが前記第１発光モジュール設置部の下面に位置する形態であって、
前記照度センサーは、前記第１発光モジュール設置部支持台上に設置され、前記第１発光モジュールから放出される光が前記照度センサーに照射されない形態である、請求項３２に記載の捕虫器。
【請求項３６】
前記第１発光モジュール設置部上に装着可能な屋根をさらに含み、
前記照度センサーは前記屋根の上面に設置され、前記第１発光モジュールから放出される光が前記照度センサーに照射されない形態である、請求項３５に記載の捕虫器。
【請求項３７】
前記照度センサーによって検出された周辺光の照度変化に応じて、前記第１発光モジュール設置部に設置される第１発光モジュールに印加される駆動電圧がＰＷＭ（Ｐｕｌｓｅ  ｗｉｄｔｈ  Ｍｏｄｕｌａｔｉｏｎ）制御される、請求項３２に記載の捕虫器。
【請求項３８】
前記第１発光モジュール設置部に印加される駆動電圧は、少なくとも２以上のデューティー比を有する、請求項３７に記載の捕虫器。
【請求項３９】
前記照度センサーによって検出された周辺光の照度が予め設定された照度範囲未満である場合に前記第１発光モジュールに印加される駆動電圧のデューティー比がｓ％で、前記照度センサーによって検出された周辺光の照度が予め設定された照度範囲を超える場合に前記第１発光モジュールに印加される駆動電圧のデューティー比がｂ％であるとき、ｂ＞ｓを満足する、請求項３８に記載の捕虫器。
【請求項４０】
前記照度センサーは、予め設定された少なくとも３以上の照度範囲を含み、前記照度範囲が変化するにつれて前記第１発光モジュールに印加される駆動電圧のデューティー比が変化するように制御される、請求項３８に記載の捕虫器。
【請求項４１】
前記捕虫器へのユーザーの接近情報を検出するモーションセンサーを含む、請求項３２に記載の捕虫器。
【請求項４２】
前記接近情報は接近距離情報を含み、
前記モーションセンサーによって検出されたユーザーの接近距離情報に応じて第１発光モジュールの光度が制御される、請求項４１に記載の捕虫器。
【請求項４３】
前記ユーザーの接近距離情報が予め設定された値未満である場合、第１発光モジュールの光度が減少する、請求項４２に記載の捕虫器。
【請求項４４】
前記第１発光モジュール設置部に設置される第１発光モジュールの光度情報を検出するＵＶセンサーを含む、請求項３２に記載の捕虫器。
【請求項４５】
前記第１発光モジュール設置部は、下部に第１発光モジュールが設置される板状部を含み、
前記ＵＶセンサーは、前記板状部の下面に設置され、前記第１発光モジュールから放出される光が直接照射され、前記捕虫器の外部から放出された光が前記第１発光モジュール設置部によって遮られて前記ＵＶセンサーに直接照射されない形態である、請求項４４に記載の捕虫器。
【請求項４６】
前記第１発光モジュール設置部は、下部に第１発光モジュールが設置される板状部を含み、
前記ＵＶセンサーは、前記第１発光基板に設置され、前記第１発光モジュールから放出される光が直接照射され、前記捕虫器の外部から放出された光が前記第１発光モジュール設置部によって遮られて前記ＵＶセンサーに直接照射されない形態である、請求項４４に記載の捕虫器。
【請求項４７】
前記第１発光モジュールの光度情報が予め設定された値未満である場合にアラームを発生させる、請求項４４に記載の捕虫器。
【請求項４８】
前記第１発光モジュールから放出される光の光出力が１００ｍＷ以下である、請求項１に記載の捕虫器。
【請求項４９】
前記照度センサーで検出された周辺光の照度が２０ｌｕｘ以下である場合、前記第１発光モジュールから放出される光の光出力が１００ｍＷ以下になるように前記第１発光モジュールの光出力が制御される、請求項３２に記載の捕虫器。
【請求項５０】
前記第１発光モジュール設置部に第１発光モジュールが設置され、
前記第１発光モジュールは、第１発光基板及び第１発光ダイオードチップを含む、請求項１に記載の捕虫器。
【請求項５１】
前記第１発光モジュールは、前記第１発光ダイオードチップを複数含み、
前記複数の第１発光ダイオードチップは、光発散角が異なる少なくとも２以上の第１発光ダイオードチップを含む、請求項５０に記載の捕虫器。
【請求項５２】
前記第１発光ダイオードチップは、光発散角が１００゜〜１４０゜であるものを含む、請求項５１に記載の捕虫器。
【請求項５３】
前記第１発光ダイオードチップは、光発散角が４０゜〜８０゜であるものを含む、請求項５２に記載の捕虫器。
【請求項５４】
前記複数の第１発光ダイオードチップは、光出射部の幅が異なる少なくとも２以上の第１発光ダイオードチップを含む、請求項５１に記載の捕虫器。
【請求項５５】
前記複数の第１発光ダイオードチップは、光出射部の高さが異なる少なくとも２以上の第１発光ダイオードチップを含む、請求項５１に記載の捕虫器。
【請求項５６】
前記第１発光基板は、フレキシブル形態、円形状、多面体形状、少なくとも一つの弧を有する形状、少なくとも一つのコーナーがラウンド処理された多面体形状、及び少なくとも一つのコーナーが面取り処理された多面体形状のうち少なくともいずれか一つを含む、請求項５０に記載の捕虫器。
【請求項５７】
前記胴体上に第１発光モジュール設置部を離隔させて支持する第１発光モジュール設置部支持台をさらに含み、
前記第１発光モジュール設置部支持台は、前記第１発光モジュール設置部の下面に連結され、前記第１発光基板によって定義される領域の内部に配置される、請求項５０又は５６に記載の捕虫器。
【請求項５８】
前記第１発光モジュール設置部支持台は長さ調節部をさらに含む、請求項５７に記載の捕虫器。
【請求項５９】
前記第１発光モジュール設置部は、第１発光モジュールの少なくとも一部に対応するように装着可能な第１発光モジュールカバーを含む、請求項５０に記載の捕虫器。
【請求項６０】
前記第１発光モジュールカバーは、少なくとも一部に光発散角変換部を含み、
前記光発散角変換部は、光拡散部又は光縮小部を含む、請求項５９に記載の捕虫器。
【請求項６１】
前記第１発光ダイオードチップは光発散角変換部を含み、
前記光発散角変換部は、光拡散部又は光縮小部を含む、請求項５０に記載の捕虫器。
【発明の詳細な説明】
【技術分野】
【０００１】
本発明は、捕虫器に関し、より詳細には、脱臭効果を発生させると同時に、誘引光によって誘引された昆虫を、吸入ファンによって形成された気流で吸入して捕集する捕虫器に関する。
【背景技術】
【０００２】
近年、地球温暖化及び環境政策などの気候的影響及び社会的影響によって害虫が増加している。害虫は、農作物及び家畜に被害を与えることはもちろん、マラリア、デング熱、日本脳炎などの病原菌を感染させることによって、人間にも悪影響を及ぼし得る。特に、近年では、ジカウイルス（ｚｉｋａ  ｖｉｒｕｓ、ＺＩＫＶ）の感染恐怖の拡散により、蚊殺虫関連方法に関する研究がさらに活性化されている実情にある。
【０００３】
殺虫方法と関連して、従来は、殺虫剤を用いる化学的防除法、ドジョウなどを用いる生物学的防除法、ブラックライト・トラップ及び二酸化炭素などで害虫を誘引した後、高電圧などを印加することによって害虫を退治する物理的防除法、水たまりを無くしたり、害虫の幼虫が生息できないように周囲環境を改善したりする環境的防除法などが試みられた。しかし、化学的防除法の場合は、２次汚染問題が台頭しており、生物学的防除法又は環境的防除法などの場合は、相対的に多くの費用、処理時間及び努力を要するおそれがあり、殺虫又は捕虫器を用いる物理的防除法などの場合は、装置の構成が複雑でユーザーの便宜性が低下したり、高電圧装置が伴う危険を内包したりするという問題があった。
【０００４】
一方、ＵＶ光源は、殺菌、消毒などの医療目的、照射されたＵＶ光の変化を用いた分析目的、ＵＶ硬化の産業用目的、ＵＶタンニングの美容目的、捕虫、偽札検査などの多様な目的で使用されている。このようなＵＶ光源として使用される伝統的なＵＶ光源ランプとしては、水銀ランプ（ｍｅｒｃｕｒｙ  ｌａｍｐ）、エキシマランプ（ｅｘｃｉｍｅｒ  ｌａｍｐ）、重水素ランプ（ｄｅｕｔｅｒｉｕｍ  ｌａｍｐ）などがあった。しかし、このような従来のランプのいずれにおいても、電力消耗及び発熱が激しく、且つ寿命が短く、内部に充填される有毒ガスによって環境が汚染されるという問題があった。
【０００５】
上述した従来のＵＶ光源ランプが有している問題を解決するためにＵＶ  ＬＥＤが脚光を浴びており、ＵＶ  ＬＥＤは、電力消耗が少なく、環境汚染の問題がないという長所を有する。よって、従来は、誘引光によって誘引された昆虫を吸入ファンによって捕集する捕虫器に関する研究が進められてきた。
【０００６】
しかし、従来の常用のＵＶ  ＬＥＤを用いて吸入ファンで昆虫を捕集する捕虫器においては、吸入ファンに蚊などの昆虫の死骸が付着することによってファンによる騒音が発生し、吸入ファンの速度制御が不適切で蚊が脱出を図ったりして捕虫器内に吸入されず、捕虫器によって発生する気流が力学的に容易に制御されないので、吸入効率が低下したり、過多の電力を使用しなければならなかったりという問題があった。
【０００７】
また、従来の捕虫器においては、蚊などの昆虫の死骸が腐敗することによって捕虫器の周辺に悪臭を発生させるという問題があった。
【発明の概要】
【発明が解決しようとする課題】
【０００８】
本発明は、上述した従来技術に比べて環境にやさしく、製造工程が簡便でありながらも昆虫の誘引効率及び吸入効率に優れた捕虫器を提供しようとするものである。
【０００９】
さらに、本発明は、蚊を吸入する最適な風速を発生させると同時に、騒音を最小化できる捕虫器を提供しようとするものである。
【００１０】
また、本発明は、蚊誘引効率が高いと同時に、人体には無害な波長及び強さの光を照射する第１発光モジュールが装着された捕虫器を提供しようとするものである。
【００１１】
また、本発明は、脱臭効果を発生させる光触媒フィルターが装着された捕虫器を提供しようとするものである。
【００１２】
また、本発明は、蚊誘引要素として光を使用するだけでなく、二酸化炭素などのガスを放出できる捕虫器を提供しようとするものである。
【課題を解決するための手段】
【００１３】
前記のような問題を解決するために、本発明の一実施例によると、吸入ファンが装着された胴体、前記胴体の上部に配置された第１発光モジュール設置部、及び前記胴体の下部に配置された捕集部、を含む捕虫器を提供する。
【発明の効果】
【００１４】
本発明の一実施例に係る捕虫器は、環境にやさしい昆虫殺虫方法を提供することができる。
【００１５】
また、本発明の一実施例に係る捕虫器は、光透過効率が高いと共に、騒音発生が抑制された第１発光モジュールカバーを有することができる。
【００１６】
また、本発明の一実施例に係る捕虫器は、一体型第１発光モジュールカバーを適用することによって防水及び防湿効果を有することができる。
【００１７】
また、本発明の一実施例に係る捕虫器は、昆虫通過部の下面に第１突出部を含むことによって、捕虫器に衝撃が加えられるとき、モーター及び吸入ファンが胴体から離脱する現象を抑制することができる。
【００１８】
また、本発明の一実施例に係る捕虫器は、昆虫通過穴のサイズを制御することによって昆虫を選択的に捕集することができ、特に、蚊より体積が大きい昆虫は捕虫器内に流入させないことによって、吸入ファンの耐久性を向上させ、騒音発生を抑制することができる。
【００１９】
また、本発明の一実施例に係る捕虫器は、吸入ファンをモーターの下部に位置させ、吸入ファンの回転速度及び直径を制御することによって騒音発生を抑制することができる。
【００２０】
また、本発明の一実施例に係る捕虫器は、第１発光モジュールから照射される光の波長及び強度を制御することによって、人体に無害であると同時に、昆虫を効果的に誘引できる光を発生させることができる。
【００２１】
また、本発明の一実施例に係る捕虫器は、吸入ファンの回転速度を制御し、捕虫器の胴体、捕集部、及び支持台の高さを制御することによって、昆虫吸入効率が高い風速を発生させることができる。
【００２２】
また、本発明の一実施例に係る捕虫器は、昆虫通過穴、空気集塵部側面口、空気集塵部吐出口、及び捕集部側面口の穴のサイズ又は面積の比率を制御することによって、騒音発生を抑制できると同時に、昆虫吸入効率が高い風速を発生させることができる。
【００２３】
また、本発明の一実施例に係る捕虫器は、紫外線で昆虫を誘引するだけでなく、熱を発生させ、二酸化炭素を発生させることによって昆虫誘引効果を極大化することができる。
【００２４】
また、本発明の一実施例に係る捕虫器は、脱臭機能を行うことによって、前記捕虫器の周辺に快適な環境を形成することができる。
【００２５】
また、本発明の一実施例に係る捕虫器は、空気集塵部の形態を制御することによって、捕集された昆虫、特に蚊の脱出頻度を著しく低下させることができる。
【図面の簡単な説明】
【００２６】
【図１】図１は、本発明の一実施例に係る捕虫器を示した斜視図である。
【図２】図２は、本発明の一実施例に係る捕虫器を示した側面図である。
【図３】図３は、本発明の一実施例に係る捕虫器を示した断面図である。
【図４】図４は、本発明の一実施例に係る捕虫器を示した分解斜視図である。
【図５】図５は、本発明の一実施例に係る捕虫器の空気集塵部を示した図である。
【図６】図６は、本発明の一実施例に係る捕虫器の空気集塵部を示した図である。
【図７】図７は、本発明の一実施例に係る捕虫器の空気集塵部を示した図である。
【図８】図８は、本発明の一実施例に係る捕虫器の第１発光モジュールを示した図である。
【図９】図９は、本発明の一実施例に係る捕虫器の第１発光モジュールを示した図である。
【図１０】図１０は、本発明の一実施例に係る捕虫器の第１発光モジュールを示した図である。
【図１１】図１１は、本発明の一実施例に係る昆虫通過部の下面を示した図である。
【図１２】図１２は、本発明の一実施例に係る第１発光モジュールカバーを示した図である。
【図１３】図１３は、本発明の一実施例に係る第１発光モジュールカバーを示した図である。
【図１４】図１４は、本発明の一実施例に係る第１発光モジュール設置部に第１発光モジュールカバー及び第１発光モジュールが装着された実施形態を示した図である。
【図１５】図１５は、本発明の一実施例に係る第１発光モジュールカバーを示した図である。
【図１６】図１６は、本発明の一実施例に係る屋根の下面を示した図である。
【図１７】図１７は、本発明の一実施例に係る胴体の下部に第２突出部が配置された実施形態を示した図である。
【図１８】図１８は、本発明の一実施例に係る胴体の下部に第２突出部が配置された実施形態を示した図である。
【図１９】図１９は、本発明に係る捕虫器の構成ブロック図である。
【図２０】図２０は、本発明に係るセンサー部の構成ブロック図である。
【図２１】図２１は、本発明に係る照度センサーによる光源制御を示した構成ブロック図である。
【図２２】図２２は、本発明に係る光源のＰＷＭ制御による駆動電圧の波形を示した図である。
【図２３】図２３は、本発明に係る光源のＰＷＭ制御による駆動電圧の波形を示した図である。
【図２４】図２４は、本発明に係る光源のＰＷＭ制御による駆動電圧の波形を示した図である。
【図２５】図２５は、本発明に係る光源の回路を概略的に示した図である。
【図２６】図２６は、本発明の一実施例に係る捕虫器を示した図である。
【図２７】図２７は、本発明の一実施例に係る捕虫器を示した図である。
【図２８】図２８は、本発明の一実施例に係る捕虫器を示した図である。
【図２９】図２９（ａ）、（ｂ）は、本発明の一実施例に係る捕虫器の第１発光ダイオードチップの光発散角及び光到達距離を概略的に示した図である。
【図３０】図３０（ａ）は、図２９（ａ）による光発散角を示した図で、図３０（ｂ）は、図２９（ｂ）による光発散角を示した図である。
【図３１】図３１は、本発明の一実施例に係る捕虫器の第１発光モジュールを示した図である。
【図３２】図３２は、本発明の一実施例に係る捕虫器の第１発光モジュール及び第１発光モジュールカバーを示した図である。
【図３３】図３３は、本発明の更に他の一実施例に係る捕虫器を示した分解斜視図である。
【図３４】図３４は、本発明の更に他の一実施例に係る捕虫器を示した側面図である。
【発明を実施するための形態】
【００２７】
本発明は、以下で開示する実施例に限定されるものではなく、互いに異なる多様な形態で具現可能である。但し、本実施例は、本発明の開示を完全にし、通常の知識を有する者に発明の範疇を完全に知らせるために提供されるものである。
【００２８】
本明細書において、一要素が他の要素の「上」又は「下」に位置すると言及される場合、これは、前記一要素が他の要素の「上」又は「下」に直接位置したり、又はこれらの要素の間に追加的な要素が介在したりし得るという意味を全て含む。本明細書において、「上部」又は「下部」という用語は、観察者の視点で設定された相対的な概念であって、観察者の視点が変わると、「上部」が「下部」を意味することもでき、「下部」が「上部」を意味することもできる。
【００２９】
複数の図面上で、同一の符号は実質的に互いに同一の要素を称する。また、単数の表現は、文脈上、明らかに異なる意味でない限り、複数の表現を含むものと理解しなければならなく、「含む」又は「有する」などの用語は、記述する特徴、数字、段階、動作、構成要素、部品又はこれらを組み合わせたものが存在することを指定しようとするものであって、一つ又はそれ以上の他の特徴、数字、段階、動作、構成要素、部品又はこれらを組み合わせたものの存在又は付加可能性を予め排除しないものと理解しなければならない。
【００３０】
また、本明細書で使用された「昆虫」という用語は、例えば、害虫を称することができ、蚊を含むことができる。
【００３１】
前記のような問題を解決するために、本発明の一実施例によると、吸入ファンが装着された胴体、前記胴体の上部に配置された第１発光モジュール設置部、及び前記胴体の下部に配置された捕集部を含む捕虫器を提供する。
【００３２】
このとき、前記第１発光モジュール設置部は、前記第１発光モジュール設置部に設置される第１発光モジュールの少なくとも一部に対応するように装着可能な第１発光モジュールカバーを含んでもよい。
【００３３】
このとき、前記第１発光モジュールカバーは、前面、及び前記前面の少なくとも一辺に設けられるカバー枠部を含み、前記前面は、前記カバー枠部より厚さが薄くてもよい。
【００３４】
このとき、前記第１発光モジュールカバーは、前記カバー枠部から突出した突出部を含んでもよい。
【００３５】
このとき、前記突出部は、前記カバー枠部から延長され、長さ方向に形成されたカバー突出部、及び前記カバー枠部から延長され、高さ方向に形成されたカバー段部を含み、前記カバー突出部及び前記カバー段部は、前記第１発光モジュールカバーにおいてそれぞれ異なる面に配置されてもよい。
【００３６】
このとき、前記第１発光モジュール設置部は、第１発光モジュール挿入溝、カバー挿入溝、前記カバー挿入溝において前記第１発光モジュール挿入溝が配置された方向に設けられたカバー段部ガイド部、及び前記カバー挿入溝において前記第１発光モジュール挿入溝から遠くなる方向に設けられたカバー突出部ガイド部を含んでもよい。
【００３７】
このとき、前記カバー段部ガイド部及び前記カバー突出部ガイド部には、前記カバー挿入溝を挟んで段差が設けられてもよい。
【００３８】
一方、前記第１発光モジュール設置部上に装着可能な屋根をさらに含み、前記屋根には、前記第１発光モジュール及び前記第１発光モジュールカバーのうち少なくともいずれか一つを圧着する圧着部が設けられてもよい。
【００３９】
このとき、前記圧着部は、前記第１発光モジュールカバーが装着される方向に突出した圧着部突出部をさらに含んでもよい。
【００４０】
このとき、前記圧着部突出部は、前記第１発光モジュールカバーを、前記カバー段部が設けられた面から前記カバー突出部が設けられた面の方向に圧着してもよい。
【００４１】
一方、前記第１発光モジュールカバーには、前記第１発光モジュールが挿入できるように開口された空間が設けられ、前記第１発光モジュールカバーの少なくとも一面は透明領域を含んでもよい。
【００４２】
このとき、前記第１発光モジュールカバーは、外部に突出した突出板を含んでもよい。
【００４３】
また、前記第１発光モジュールカバーは載置部をさらに含み、前記第１発光モジュールカバーは前記第１発光モジュール設置部に載置されてもよい。
【００４４】
このとき、前記第１発光モジュール設置部上に装着可能な屋根をさらに含み、前記第１発光モジュール設置部には開口部が設けられ、前記第１発光モジュールカバーの少なくとも一部が前記開口部に引き込まれ、前記載置部によって前記第１発光モジュール設置部に載置され、前記屋根が前記第１発光モジュール設置部及び前記第１発光モジュールカバー上に装着される形態であってもよい。
【００４５】
このとき、前記第１発光モジュール設置部と前記第１発光モジュールカバーとの間にパッキング部材がさらに装着可能であってもよい。
【００４６】
また、前記載置部の少なくとも一部は、前記載置部との間に段差が形成された結合部を含んでもよい。
【００４７】
また、前記第１発光モジュールカバーは、前記第１発光モジュールの挿入を案内する第１発光モジュール挿入溝を含んでもよい。
【００４８】
また、前記第１発光モジュールカバーは、その全部が透明領域を含んでもよい。
【００４９】
一方、前記胴体の下部に配置された空気集塵部をさらに含み、前記空気集塵部は、前記吸入ファンから遠くなるほど直径が狭くなるテーパー形状であってもよい。
【００５０】
このとき、前記空気集塵部は、垂直断面の勾配が異なる２以上の区間を含んでもよい。
【００５１】
一例として、前記空気集塵部は、空気集塵部入口部、空気集塵部中間部、及び空気集塵部吐出口を含み、垂直断面の勾配のサイズは空気集塵部吐出口＞空気集塵部入口部＞空気集塵部中間部の順であってもよい。
【００５２】
このとき、前記空気集塵部吐出口は、前記捕集部の方向に延長されたシリンダー形状であってもよい。
【００５３】
一例として、前記空気集塵部は、前記吸入ファンによって流入した空気を通過させるための複数の空気集塵部格子、及び前記複数の空気集塵部格子の間に設けられた空気集塵部側面口を含んでもよい。
【００５４】
このとき、前記空気集塵部格子のそれぞれは、長さ及び幅を有する二つの棒形状部分を、幅の一部が重畳するように重ねた形状を有し、一つの空気集塵部格子の上側に配置された部分は、隣り合う空気集塵部格子の下側に配置された部分の近くに配置されてもよい。
【００５５】
一方、前記胴体は、前記吸入ファンの下部に設置された第２発光モジュール設置部を含んでもよい。
【００５６】
このとき、前記第２発光モジュール設置部の下部に配置される光触媒フィルターをさらに含んでもよい。
【００５７】
このとき、前記第２発光モジュール設置部には、前記光触媒フィルターの方向に光を照射するように設置される第２発光モジュールが装着されてもよい。
【００５８】
このとき、前記第２発光モジュールは、第２発光ダイオードチップが実装されていない面が前記吸入ファンに対応するように配置されてもよい。
【００５９】
また、前記胴体の下部に配置され、前記吸入ファンから遠くなるほど直径が狭くなるテーパー形状である空気集塵部をさらに含み、前記第２発光モジュール設置部の下部に配置され、前記空気集塵部から延長される形態である光触媒フィルター設置部を含んでもよい。
【００６０】
また、前記第２発光モジュール設置部の下部に延長されて形成され、前記第２発光モジュール設置部において第２発光モジュールが実装される領域を覆う形態である第２突出部を含んでもよい。
【００６１】
一方、前記胴体上に配置される昆虫通過部、及び前記吸入ファンの上部で結合されて動力を伝達するモーターをさらに含み、前記昆虫通過部は、下面に突出し、前記モーターの上部に配置された第１突出部を含んでもよい。
【００６２】
また、上述した捕虫器は、前記捕虫器の周辺光の照度を検出する照度センサーをさらに含んでもよい。
【００６３】
このとき、前記捕虫器は、前記胴体上に前記第１発光モジュール設置部を離隔させて支持する第１発光モジュール設置部支持台をさらに含み、前記第１発光モジュール設置部支持台は、第１発光モジュールから放出される光を遮らないように前記第１発光モジュールの側面方向に配置され、前記照度センサーは、前記第１発光モジュール設置部支持台に設置されてもよい。
【００６４】
また、前記第１発光モジュール設置部支持台は、所定の長さ及び厚さを有し、前記照度センサーは、前記第１発光モジュール設置部支持台において前記第１発光モジュールが設置された方向の反対方向に設置され、前記第１発光モジュールから放出される光が前記照度センサーに照射されない形態であってもよい。
【００６５】
また、前記第１発光モジュール設置部は、第１発光モジュールが上部から下部の方向に挿入され、前記第１発光モジュールが前記第１発光モジュール設置部の下面に位置する形態であって、前記照度センサーは、前記第１発光モジュール設置部支持台上に設置され、前記第１発光モジュールから放出される光が前記照度センサーに照射されない形態であってもよい。
【００６６】
このとき、前記捕虫器は、前記第１発光モジュール設置部上に装着可能な屋根をさらに含み、前記照度センサーは、前記屋根の上面に設置され、前記第１発光モジュールから放出される光が前記照度センサーに照射されない形態であってもよい。
【００６７】
また、前記照度センサーによって検出された周辺光の照度変化に応じて、前記第１発光モジュール設置部に設置される第１発光モジュールに印加される駆動電圧がＰＷＭ（Ｐｕｌｓｅ  ｗｉｄｔｈ  Ｍｏｄｕｌａｔｉｏｎ）制御されてもよい。
【００６８】
このとき、前記第１発光モジュール設置部に印加される駆動電圧は、少なくとも２以上のデューティー比（Ｄｕｔｙ  ｒａｔｉｏ）を有してもよい。
【００６９】
このとき、前記照度センサーによって検出された周辺光の照度が予め設定された照度範囲未満である場合に前記第１発光モジュールに印加される駆動電圧のデューティー比がｓ％で、前記照度センサーによって検出された周辺光の照度が予め設定された照度範囲を超える場合に前記第１発光モジュールに印加される駆動電圧のデューティー比がｂ％であるとき、ｂ＞ｓを満足することができる。
【００７０】
また、前記照度センサーは、前記予め設定された少なくとも３以上の照度範囲を含み、前記照度範囲の変化に応じて、前記第１発光モジュールに印加される駆動電圧のデューティー比が変化するように制御されてもよい。
【００７１】
また、上述した捕虫器は、前記捕虫器へのユーザーの接近情報を検出するモーションセンサーを含んでもよい。
【００７２】
このとき、前記接近情報は接近距離情報を含み、前記モーションセンサーによって検出されたユーザーの接近距離情報に応じて第１発光モジュールの光度が制御されてもよい。
【００７３】
このとき、前記ユーザーの接近距離情報が予め設定された値未満である場合は、第１発光モジュールの光度が減少し得る。
【００７４】
また、上述した捕虫器は、前記第１発光モジュール設置部に設置される第１発光モジュールの光度情報を検出するＵＶセンサーを含んでもよい。
【００７５】
このとき、前記第１発光モジュール設置部は、その下部に第１発光モジュールが設置される板状部を含み、前記ＵＶセンサーは、前記板状部の下面に設置され、前記第１発光モジュールから放出される光が直接照射され、前記捕虫器の外部から放出された光が前記第１発光モジュール設置部によって遮られて前記ＵＶセンサーに直接照射されない形態であってもよい。
【００７６】
また、前記第１発光モジュール設置部は、その下部に第１発光モジュールが設置される板状部を含み、前記ＵＶセンサーは、前記第１発光基板に設置され、前記第１発光モジュールから放出される光が直接照射され、前記捕虫器の外部から放出された光が前記第１発光モジュール設置部によって遮られて前記ＵＶセンサーに直接照射されない形態であってもよい。
【００７７】
また、前記第１発光モジュールの光度情報が予め設定された値未満である場合にアラームを発生させてもよい。
【００７８】
一方、上述した捕虫器は、前記第１発光モジュールから放出される光の光出力が１００ｍＷ以下であってもよい。
【００７９】
また、前記照度センサーで検出された周辺光の照度が２０ｌｕｘ以下である場合、前記第１発光モジュールから放出される光の光出力が１００ｍＷ以下になるように前記第１発光モジュールの光出力が制御されてもよい。
【００８０】
本発明に係る捕虫器において、前記第１発光モジュールは、第１発光基板及び第１発光ダイオードチップを含んでもよい。
【００８１】
このとき、前記第１発光モジュールは、前記第１発光ダイオードチップを複数含み、前記複数の第１発光ダイオードチップは、光発散角が異なる少なくとも２以上の第１発光ダイオードチップを含んでもよい。
【００８２】
このとき、前記第１発光ダイオードチップは、光発散角が１００゜〜１４０゜であるものを含んでもよい。
【００８３】
このとき、前記第１発光ダイオードチップは、光発散角が４０゜〜８０゜であるものを含んでもよい。
【００８４】
また、前記複数の第１発光ダイオードチップは、光出射部の幅が異なる少なくとも２以上の第１発光ダイオードチップを含んでもよい。
【００８５】
また、前記複数の第１発光ダイオードチップは、光出射部の高さが異なる少なくとも２以上の第１発光ダイオードチップを含んでもよい。
【００８６】
また、前記第１発光基板は、フレキシブル形態、円形状、多面体形状、少なくとも一つの弧（ａｒｃ）を有する形状、少なくとも一つのコーナーがラウンド処理された多面体形状、及び少なくとも一つのコーナーが面取り処理された多面体形状のうち少なくともいずれか一つを含んでもよい。
【００８７】
このとき、前記胴体上に第１発光モジュール設置部を離隔させて支持する第１発光モジュール設置部支持台をさらに含み、前記第１発光モジュール設置部支持台は、前記第１発光モジュール設置部の下面に連結され、前記第１発光基板によって定義される領域の内部に配置されてもよい。
【００８８】
このとき、前記第１発光モジュール設置部支持台は、長さ調節部をさらに含んでもよい。
【００８９】
また、前記第１発光モジュール設置部は、第１発光モジュールの少なくとも一部に対応するように装着可能な第１発光モジュールカバーを含んでもよい。
【００９０】
このとき、前記第１発光モジュールカバーは、少なくとも一部に光発散角変換部を含み、前記光発散角変換部は光拡散部又は光縮小部を含んでもよい。
【００９１】
また、前記第１発光ダイオードチップは光発散角変換部を含み、前記光発散角変換部は光拡散部又は光縮小部を含んでもよい。
【００９２】
上述したように、昆虫、例えば、蚊を誘引光によって誘引し、吸入ファンによって捕集する従来の捕虫器においては、環境にやさしく、人体に無害であるという長所にもかかわらず、誘引効率が非常に低いか、過度な電力を使用しなければならないか、又は過度の騒音が発生するという問題があり、昆虫の死骸腐敗などによって従来の捕虫器の周辺で悪臭が発生するという問題があった。よって、本発明の発明者等は、前記のような問題を解決するために、捕虫器の各構成を制御することによって、電力を浪費することなく、昆虫、例えば、蚊の誘引効果を極大化させ、吸入効果を向上させると同時に、騒音発生が抑制された環境にやさしい捕虫器を開発し、捕虫器の周辺に快適な環境を造成するために関連する研究及び製造過程を繰り返した。
【００９３】
以下、上述した本発明の好適な実施例を、図面を参照して具体的に説明する。
【００９４】
図１は、本発明の一実施例に係る捕虫器１０００を示した斜視図であり、図２は、本発明の一実施例に係る捕虫器１０００を示した側面図であり、図３は、本発明の一実施例に係る捕虫器１０００を示した断面図であり、図４は、本発明の一実施例に係る捕虫器１０００を示した分解斜視図である。
【００９５】
以下、図１〜図４を参照して、本発明の一実施例に係る捕虫器１０００の各構成を詳細に説明する。
【００９６】
本発明の一実施例に係る捕虫器１０００は、胴体１１０と、胴体１１０上に配置され、昆虫を通過させる昆虫通過部１２０と、胴体１１０の下部に配置された空気集塵部１３０と、空気集塵部１３０と昆虫通過部１２０との間に位置する吸入ファン１５０と、昆虫通過部１２０の上部に配置され、第１発光モジュール１６１が装着可能な第１発光モジュール設置部１６０と、空気集塵部１３０の下部に配置され、昆虫を捕集する捕集部１９０と、吸入ファン１５０と捕集部１９０との間に配置され、第２発光モジュール１７１が装着可能な第２発光モジュール設置部１７０と、第２発光モジュール設置部１７０の下部に配置され、光触媒フィルター１８０が装着可能な光触媒フィルター設置部２０とを含み、空気集塵部１３０は、吸入ファン１５０から遠くなるほど直径が狭くなるテーパー形状であって、垂直断面の勾配が異なる２以上の区間を含んでもよい。
【００９７】
本発明で称する昆虫は、その種類を限定することなく、多様な種類の飛虫を含み、特に蚊を称することができる。
【００９８】
また、本発明で指称する発光モジュールとしては、その種類を限定することなく、多様な種類の光源を使用することができ、特に、ＵＶ  ＬＥＤ光源が実装されてもよい。
【００９９】
胴体１１０
胴体１１０は、その形状は特に限定されないが、吸入ファン１５０が内部に実装されるという点で円筒形状であってもよく、例えば、凸状の壷形状を有することによって内部空間を確保すると同時に、円滑な吸入気流を形成し、モーター１４０又は第２発光モジュール１７１に電力を供給する電気配線が通過する空間を確保することができる。胴体１１０は、その材質も特に限定されないが、室内又は室外で長期間使用可能であると同時に、製造単価を大きく上昇させないために常用のプラスチック系材質で製造されてもよい。胴体１１０は、上下に空気が通過できるように上下に開放された構造を有する。
【０１００】
図３を参照すると、胴体１１０の上部から下部にスイッチ３０、昆虫通過部１２０、モーター１４０、吸入ファン１５０、及び第２発光モジュール設置部１７０が胴体１１０に実装されてもよい。
【０１０１】
図４を参照すると、昆虫通過部１２０は、選択的に昆虫が通過できる複数の昆虫通過穴１２１を含んでもよい。複数の昆虫通過穴１２１は、その形態は限定されず、円形部材及び放射状部材によって形成されてもよく、一連の円形部材によって形成されてもよい。また、昆虫通過穴１２１のサイズは、捕集対象昆虫の平均サイズを考慮して調節されてもよい。一方、図４に示したように、昆虫通過部１２０が一連の円形部材である昆虫通過穴１２１によって形成される場合、低い製造単価で昆虫通過穴１２１のサイズを効果的に制御することができる。
【０１０２】
従来の常用の吸引ファンを用いて昆虫を捕集する捕虫器の場合、蚊より体積が大きい蝶、トンボ、ハエなどの昆虫が共に捕集され、捕集部１９０の交換周期が速いか、害虫でない有益な昆虫まで捕集されるので生態系に悪影響を及ぼすという問題があった。また、体積が大きい昆虫が吸入ファン１５０にくっ付くようになり、モーター１４０の寿命が短縮されたり、吸入ファン１５０で騒音が発生したりするという問題があった。よって、本発明の発明者等は、捕虫器１０００が昆虫を選択的に吸入できるように昆虫通過穴１２１のサイズを制御すると同時に、経済的に昆虫通過部１２０を製造した。
【０１０３】
複数の昆虫通過穴１２１は、その直径が０．５ｃｍ〜２ｃｍ、好ましくは０．８ｃｍ〜１．５ｃｍであってもよいし、又は一つの昆虫通過穴１２１の面積が１００ｍｍ2〜２２５ｍｍ2になるように制御してもよい。よって、昆虫、特に蚊を選択的に通過させる一方で、蝶、トンボ、ハエなどの胴体のサイズが大きい昆虫は捕虫器１０００の内部に捕集されないようにし、その結果、モーター１４０の耐久性の劣悪を防止したり、吸入ファン１５０で発生する騒音を減少させたりすることができる。
【０１０４】
一例として、図１１を参照すると、昆虫通過部１２０は、下面に突出し、モーター１４０の上部に配置された第１突出部１２２を有してもよい。第１突出部１２２は、捕虫器１０００に衝撃が加えられるとき、モーター１４０、吸入ファン１５０などの離脱を防止することができ、例えば、モーター１４０から０．５ｍｍ〜５ｍｍだけ離隔して設置され、捕虫器１０００に加えられる衝撃によるモーター１４０又は吸入ファン１５０の振動の遊び部分を減少させることができる。
【０１０５】
また、吸入ファン１５０は、昆虫が吸入ファン１５０にくっ付くことなく、吸入ファン１５０の下部に流入するように制御することが好ましい。従来の常用の吸入ファン１５０を用いて昆虫を捕集する捕虫器の場合、ファン羽根１５１に昆虫がくっ付くようになり、吸入ファン１５０の回転半径が均一でなくなることによって、モーター１４０の耐久性が劣悪になったり、騒音が発生したりするという問題があった。しかし、ファン羽根１５１に昆虫がくっ付かないように吸入ファン１５０の回転速度を減少させる場合、捕虫器に隣接した昆虫の捕集効率が著しく減少するという問題があった。すなわち、昆虫は、風速０．８ｍ／ｓ以上で飛行を停止する傾向があるが、風速が過度に高い場合、昆虫が気流からの脱出を試みるようになるので、本発明の発明者等は、ファン羽根１５１に昆虫がくっ付かないようにすると同時に、蚊が飛行を停止し、吸入ファン１５０で発生した吸入気流によって捕集される捕虫器１０００を製造した。
【０１０６】
このためには、ファン羽根１５１が２個〜７個、好ましくは３個又は４個であり、吸入ファン１５０の回転速度が１８００ｒｐｍ〜３１００ｒｐｍ、好ましくは２０００ｒｐｍ〜２８００ｒｐｍであってもよい。ファン羽根１５１の個数が２個未満であったり、又は吸入ファン１５０の回転速度が１８００ｒｐｍ未満であったりする場合は、蚊の捕集効果が減少し得る。一方、ファン羽根１５１の個数が７個を超えたり、又は吸入ファン１５０の回転速度が３１００ｒｐｍを超えたりする場合は、蚊の死骸が吸入ファン１５０に過度に多くくっ付いたり、騒音が３８ｄＢＡ以上に高くなるという問題が発生し得る。
【０１０７】
また、ファン羽根１５１は、平らな形状でなく、一定の曲率又は一定でない曲率で曲がった形態であってもよく、曲がった形態のファン羽根１５１は、最下段と最上段との高低差が５ｍｍ〜５０ｍｍであってもよい。一方、吸入ファン１５０は、その直径が５０ｍｍ〜１２０ｍｍであってもよく、好ましくは７０ｍｍ〜１００ｍｍであってもよい。そして、吸入ファン１５０と胴体１１０の内壁との最短距離を１ｍｍ〜５ｍｍに制御し、吸入ファン１５０による騒音を最小化すると同時に、吸入気流を効果的に形成することができる。
【０１０８】
また、胴体１１０から第１発光モジュール設置部１６０が離隔した垂直距離と胴体１１０との高さの比が１：１〜１：４で、捕集部１９０の高さと捕集部１９０から第１発光モジュール設置部１６０が離隔した距離との比が１：０．８〜１：２であってもよい。前記比率範囲内で、吸入ファン１５０による気流が効果的に形成され得ると共に、吸入ファン１５０に昆虫がくっ付かない状態で捕虫器１０００に隣接した昆虫が容易に吸入され得る。
【０１０９】
したがって、前記数値範囲内で、昆虫通過部１２０と第１発光モジュール設置部１６０との間で吸入ファン１５０によって形成された気流の速度が０．５ｍ／ｓ〜３．０ｍ／ｓ、好ましくは０．６ｍ／ｓ〜２．８ｍ／ｓ、さらに好ましくは０．７ｍ／ｓ〜２．５ｍ／ｓ、例えば、０．７ｍ／ｓ〜２．３ｍ／ｓになるように制御され得る。前記風速範囲で、昆虫が吸入ファン１５０にくっ付かないと同時に、昆虫が飛行を停止し、高い効率で捕集部１９０に捕集され得ると共に、吸入ファン１５０による騒音発生を抑制することができる。一方、前記風速は、捕虫器１０００の胴体１１０の上端と第１発光モジュール設置部１６０の中間地点で風速測定装置（ＴＳＩ９５１５、ＴＳＩ社）を用いて測定することができる。
【０１１０】
すなわち、本発明の一実施例に係る捕虫器１０００は、昆虫通過部１２０の入口から第１発光モジュール設置部１６０の下面が離隔した離隔垂直距離と胴体１１０の高さとの比が１：１〜１：４で、捕集部１９０の高さと捕集部１９０から第１発光モジュール設置部１６０が離隔した距離との比が１：０．８〜１：２になるように制御することによって、昆虫が吸入ファン１５０にくっ付かない状態で捕集部１９０に捕集される適正な回転速度である１８００ｒｐｍ〜３１００ｒｐｍになるように吸入ファン１５０の回転速度を制御し、昆虫通過部１２０と第１発光モジュール設置部１６０との間で吸入ファン１５０によって形成された気流の速度が０．５ｍ／ｓ〜３．０ｍ／ｓになるように制御することができる。
【０１１１】
また、昆虫通過部１２０の下部にモーター１４０を実装し、モーター１４０の下部に吸入ファン１５０を装着することによって、モーター１４０及び吸入ファン１５０によって発生する騒音を著しく減少させることができ、好ましくは騒音が３８ｄＢ未満になるように制御することができる。一方、前記騒音は、通常、２９．８ｄＢＡの条件で、捕虫器１０００から１．５ｍだけ水平方向に離隔した距離で騒音測定装置（ＣＥＮＴＥＲ  ３２０、ＴＥＳＴＯ社）を用いて測定することができる。
【０１１２】
空気集塵部１３０、２３０、３３０
図５〜図７は、本発明の一実施例に係る空気集塵部１３０、２３０、３３０を示した図である。
【０１１３】
図３〜図７を参照すると、空気集塵部１３０、２３０、３３０は、胴体１１０の下部に装着され、吸入ファン１５０によって流入した昆虫が捕集部１９０に吐出されるように空気集塵部格子１３０ａ、空気集塵部側面口１３０ｂ、及び空気集塵部吐出口１３３を含んでもよく、空気集塵部１３０、２３０、３３０は、吸入ファン１５０から遠くなるほど直径が狭くなるコーン形状又はテーパー形状であってもよい。また、空気集塵部１３０、２３０、３３０は、断面の勾配が異なる区間を含んでもよい。
【０１１４】
すなわち、空気集塵部１３０、２３０、３３０は、吸入ファン１５０によって発生した気流を分散させずに下部の捕集部１９０に効果的に伝達させるために、吸入ファン１５０から遠くなるほど直径が狭くなるテーパー形状であることが好ましく、特に、断面の勾配が異なる２以上の区間を含んでもよく、例えば、勾配が異なる三つの区間を含んでもよい。
【０１１５】
具体的に、図５に示したように、空気集塵部１３０、２３０、３３０の断面の勾配が上部から下部の方向に急な区間、緩い区間、及び垂直な区間（空気集塵部吐出口１３３）が表れてもよい。さらに具体的に、垂直断面の勾配のサイズが空気集塵部吐出口１３３＞空気集塵部入口部１３１＞空気集塵部中間部１３２の順になってもよい。
【０１１６】
空気集塵部１３０、２３０、３３０の垂直断面の勾配のサイズを制御することによって、捕集部１９０に捕集された蚊が空気集塵部入口部１３１と捕集部１９０との間に形成された空間に集まる傾向を示し、その結果、吸入ファン１５０の停止時に蚊が捕虫器１０００から脱出する頻度を著しく低下させることができる。
【０１１７】
具体的に、空気集塵部入口部１３１は、垂直断面で地面に対して形成された角度が４５゜〜８０゜であってもよく、好ましくは６０゜〜８５゜であってもよい。空気集塵部入口部１３１の垂直断面で地面に対して形成された角度が４５゜未満である場合は、吸入ファン１５０の停止時に蚊が捕虫器１０００から脱出する頻度が過度に多くなり、空気集塵部入口部１３１の垂直断面で地面に対して形成された角度が８０゜を超える場合は、空気集塵部１３０、２３０、３３０と捕集部１９０の内壁との間に形成された空間が過度に狭いので、蚊が空気集塵部入口部１３１と捕集部１９０との間に形成された空間に集まる傾向を期待しにくくなり得る。
【０１１８】
また、空気集塵部１３０、２３０、３３０は、捕集部１９０の方向、すなわち、下部に延長されて突出した空気集塵部吐出口１３３をさらに含む場合、蚊が空気集塵部吐出口１３３にくっ付こうとする傾向を示し、その結果、吸入ファン１５０の停止時に蚊が捕虫器１０００から脱出する頻度を著しく低下させることができる。このとき、空気集塵部吐出口１３３の垂直方向の長さは０．２ｃｍ〜２ｃｍ、好ましくは０．５ｃｍ〜１．５ｃｍであってもよく、空気集塵部吐出口１３３の垂直方向の長さが２ｃｍを超える場合は、吸入ファン１５０によって形成された吸入気流を空気集塵部吐出口１３３が妨害し得る。一方、空気集塵部吐出口１３３の垂直方向の長さが０．２ｃｍ未満である場合は、吸入ファン１５０の停止時に蚊が空気集塵部吐出口１３３にくっ付く面積が過度に小さいので、蚊の脱出抑制効果が不十分になり得る。
【０１１９】
図５を参照すると、空気集塵部１３０は、吸入ファン１５０によって流入した空気を通過させるために設けられた複数の空気集塵部格子１３０ａ、及び各空気集塵部格子１３０ａの間の空気集塵部側面口１３０ｂを含んでもよい。
【０１２０】
すなわち、空気集塵部１３０、２３０、３３０は空気集塵部側面口１３０ｂを含み、吸入ファン１５０によって発生した気流が捕虫器１０００の外部に効果的に抜け出るようにすることができる。空気集塵部側面口１３０ｂの形態は、特に制限されなく、メッシュ形状又はスリット形状であってもよく、メッシュ形状又はスリット形状によって形成された穴の面積は、昆虫、特に蚊が通過できないように制御することができる。
【０１２１】
空気集塵部側面口１３０ｂがスリット形状である場合、空気集塵部格子１３０ａのそれぞれは、長さ及び幅を有する二つの棒形状部分を、幅の一部が重畳するように重ねた形状を有し、一つの空気集塵部格子１３０ａの上側に配置された部分は、隣り合う空気集塵部格子１３０ａの下側に配置された部分の近くに配置されてもよい。すなわち、空気集塵部１３０、２３０、３３０は、空気集塵部側面口１３０ｂを挟んで一つの空気集塵部格子１３０ａの上側に配置された部分と、他の空気集塵部格子１３０ａの下側に配置された部分とが対向する形態が連続する構造で形成されてもよい。前記のような構造を採用することによって、吸入ファン１５０によって気流が効果的に形成されるだけでなく、吸入ファン１５０の停止時に捕集部１９０に捕集された蚊が捕虫器１０００の外側に脱出する頻度を低下させることができる。このとき、空気集塵部格子１３０ａ及び空気集塵部側面口１３０ｂは、捕虫器１０００の上下方向、すなわち、縦方向に形成される構造を有することによって、横方向に形成される場合に比べて空気抵抗が遥かに減少し、空気集塵部側面口１３０ｂに引っ掛かった蚊によって空気の流れが妨害される現象を防止することができる。
【０１２２】
特に、吸入ファン１５０によって形成された気流の方向に応じて空気集塵部格子１３０ａの形態を制御することができる。具体的には、吸入ファン１５０によって形成された気流は、空気集塵部格子１３０ａの上側に配置された部分に先に接し、その後、空気集塵部格子１３０ａの下側に配置された部分に接するように空気集塵部格子１３０ａの形態を制御することによって、吸入ファン１５０によって形成された気流が空気集塵部側面口１３０ｂを介して効果的に抜け出るようにし、吸入気流を流体力学的に制御することができる。よって、本発明の一実施例に係る捕虫器１０００は、空気集塵部格子１３０ａの形態を制御することによって、吸入ファン１５０の回転速度が１８００ｒｐｍ〜３１００ｒｐｍである範囲内でも、吸入ファン１５０によって形成された気流の速度が０．５ｍ／ｓ〜３ｍ／ｓになるように制御できるようになり、吸入される昆虫が物理的衝撃によって吸入ファン１５０にくっ付くことなく捕集部１９０に捕集されるように捕虫器１０００を駆動し得る。
【０１２３】
すなわち、本発明の一実施例に係る捕虫器１０００は、空気集塵部１３０、２３０、３３０の垂直断面の勾配が異なるように制御し、空気集塵部吐出口１３３の形態及び空気集塵部格子１３０ａの形態を制御することによって、吸入ファン１５０によって形成された吸入気流が効果的に抜け出るようにし、捕集効率を向上させることができ、流入した昆虫が捕集部１９０に捕集された後、空気集塵部１３０、２３０、３３０を介して捕虫器１０００の外部に抜け出ないように駆動し得る。
【０１２４】
捕集部１９０
図３は、本発明の一実施例に係る捕虫器１０００を示した断面図で、図４は、本発明の一実施例に係る捕虫器１０００を示した分解斜視図である。
【０１２５】
図３及び図４を参照すると、捕集部１９０は、吸入ファン１５０によって流入した空気を外部に吐出するための捕集部側面口１９１を含んでもよい。
【０１２６】
また、昆虫通過穴１２１の面積の総和と捕集部側面口１９１の面積の総和との比が１：０．８〜１：３．０、好ましくは１：０．８〜１：２．０であってもよい。前記比率範囲内で、昆虫が前記捕集部１９０の体積の１／２まで捕集されたとしても、捕虫器１０００の外部に吐出される空気の流れが阻害されなくなり得る。
【０１２７】
すなわち、捕集部１９０は、吸入ファン１５０によって発生した気流が捕虫器１０００の外部に効果的に吐出できるようにし、その結果、捕集部１９０内に捕集された蚊を乾燥させて殺すことができる。
【０１２８】
第１発光モジュール設置部１６０
図１〜図４を参照すると、本発明の一実施例に係る捕虫器１０００は、吸入ファン１５０と捕集部１９０との間に配置され、胴体１１０と第１発光モジュール設置部１６０との間の空間に昆虫が流入するように胴体１１０上に第１発光モジュール設置部１６０を離隔させて支持する第１発光モジュール設置部支持台１０をさらに含んでもよい。
【０１２９】
第１発光モジュール設置部支持台１０の形態及び個数は特に限定されないが、第１発光モジュール設置部１６０を安定的に支持すると同時に、昆虫が流入する空間が第１発光モジュール設置部支持台１０によって制限される領域を最小化できるという点で、二つの第１発光モジュール設置部支持台１０が向かい合う方向に装着されてもよい。
【０１３０】
第１発光モジュール設置部１６０は、胴体１１０から垂直に１ｃｍ〜８ｃｍ、好ましくは２ｃｍ〜５ｃｍだけ離隔した距離に位置するように第１発光モジュール設置部支持台１０の長さを制御することができ、具体的に、第１発光モジュール設置部支持台１０の高さと、第１発光モジュール設置部１６０が胴体１１０から垂直に離隔した距離とが同一であってもよい。第１発光モジュール設置部１６０が胴体１１０から垂直に離隔した距離が１ｃｍより短い場合は、昆虫が流入する穴が過度に小さいので昆虫捕集効率が低下し得る。一方、第１発光モジュール設置部１６０が胴体１１０から垂直に離隔した距離が８ｃｍより長い場合は、吸入ファン１５０によって形成される気流が十分な強さで形成されないので、昆虫捕集効率が低下するという問題が発生し得る。
【０１３１】
したがって、誘引光、特に、紫外線で昆虫が誘引されて捕虫器１０００に近接すると、吸入ファン１５０によって形成された吸入気流により、昆虫が胴体１１０と第１発光モジュール設置部１６０との間の空間に流入し、昆虫通過部１２０及び吸入ファン１５０を通過し、空気集塵部１３０、２３０、３３０の下部に位置した捕集部１９０に捕集され得る。
【０１３２】
また、図１又は図４を参照すると、第１発光モジュール設置部１６０は板形状であってもよく、よって、本発明の一実施例に係る捕虫器１０００は、吸入ファン１５０によって形成された気流が第１発光モジュール設置部１６０と胴体１１０との間に形成された空間に流入するように制御することによって、吸入ファン１５０によって吸入気流を流体力学的に効果的に発生させることができる。その結果、吸入ファン１５０の回転速度が１８００ｒｐｍ〜３１００ｒｐｍの範囲で駆動したとしても、吸入気流が０．５ｍ／ｓ〜３ｍ／ｓで形成され、蚊が吸入ファン１５０にくっ付くことなく捕集部１９０に捕集されるように駆動し得る。
【０１３３】
図４を参照すると、第１発光モジュール１６１は、第１発光モジュール設置部１６０の下面に装着可能であり、図４に示したように、第１発光モジュール設置部１６０の上端に設置された取り外し可能な形態の屋根１６５を取り外した後、第１発光モジュール１６１を第１発光モジュール設置部１６０の上部から下部に挿入することによって第１発光モジュール１６１を実装することができる。一例として、図１６を参照すると、屋根１６５は、下面に圧着部２６５を有してもよく、第１発光モジュール１６１及び第１発光モジュールカバー１６４、１１６４のうち少なくともいずれか一つ以上を垂直に又は水平に圧着し、第１発光モジュール１６１及び第１発光モジュールカバー１６４、１１６４の振動による騒音発生を防止することができる。例えば、圧着部２６５は、圧着部突出部３６５をさらに有することによって、第１発光モジュール１６１及び第１発光モジュールカバー１６４、１１６４のうち少なくともいずれか一つ以上をさらに堅固に垂直に又は水平に圧着することができる。一例として、圧着部突出部３６５は、第１発光モジュールカバー１６４を、カバー段部４６４が設けられた面からカバー突出部５６４が設けられた面の方向に圧着することによって第１発光モジュールカバー１６４、１１６４の振動による騒音を防止し、第１発光モジュールカバー１６４、１１６４の振動によって害虫の光誘引効率が劣悪になることを防止するだけでなく、カバー突出部５６４によって第１発光モジュール設置部１６０に設けられた開口部がさらに圧着されることによって、外部の汚染物質又は害虫の流入による第１発光モジュール１６１の損傷を防止することができる。また、第１発光モジュール設置部１６０に装着された第１発光モジュール１６１は、電源に電気的に連結されてもよい。
【０１３４】
本発明の一実施例に係る捕虫器１０００において、第１発光モジュール１６１は、地面に対して水平方向に光が照射されるように第１発光モジュール設置部１６０に装着されてもよい。昆虫、特に蚊は、飛行時に地面から約１．５ｍの高さで最も長い時間留まるようになるが、捕虫器１０００を地面から約１．５ｍの高さに設置する場合、第１発光モジュール１６１の地面に対して水平方向に照射される光により、昆虫が強い刺激を受けて捕虫器１０００に効果的に誘引され得る。
【０１３５】
また、図面には示していないが、捕虫器１０００を室外で使用する場合、屋根１６５の上面に屋根フックをさらに設置し、これを約１．５ｍの高さの木の枝などにぶら下げて便利に使用することもできる。
【０１３６】
一方、図面には示していないが、第１発光モジュール設置部１６０は、下面に第１発光モジュール１６１によって照射されたＵＶを反射できる材料が接着又はコーティングされてもよい。ＵＶを反射できる材料は特に限定されず、銀又はアルミニウムなどの材質が接着されてもよく、銀又はアルミニウム膜が第１発光モジュール設置部１６０の下面にコーティングされてもよく、照射された光を散乱させるための多様な形態の屈曲又は凹凸パターンが追加されてもよい。
【０１３７】
図４を参照すると、第１発光モジュール設置部１６０は、第１発光モジュール１６１が装着可能な位置に対応するように形成され、第１発光モジュール設置部１６０に装着された第１発光モジュール１６１を保護する透明な第１発光モジュールカバー１６４が装着され、外部の埃又は昆虫の接近によって第１発光モジュール１６１が破損する現象を防止することができる。第１発光モジュールカバー１６４は透明であることが好ましい。
【０１３８】
第１発光モジュールカバー１６４は、多様な形状に加工されることによって、第１発光モジュール１６１から放出される光を拡散させたり所定の方向に収斂させたりするレンズとしての役割をすることができる。第１発光モジュールカバー１６４は、一例として、ガラス、クオーツ（ｑｕａｒｔｚ）などの材質を含んでもよい。また、単量体の比率が約８０％以上高いＰＭＭＡ（ｐｏｌｙ  ｍｅｔｈｙｌ  ｍｅｔｈａｃｒｙｌａｔｅ）は、主に炭素及び水素で構成され、電子雲がほとんどなく、ＵＶ透過率が高いので、このような材質を使用して第１発光モジュールカバー１６４を構成することができる。また、第１発光モジュールカバー１６４として、紫外線と反応しない安定的な物質であるフッ素系ポリマーを使用してもよい。一例として、第１発光モジュールカバー１６４は、石英やＰＭＭＡより紫外線透過率が低い点を勘案して、相対的にフレキシブルな物性を有するように構成しながら厚さを薄くすることが好ましい。すなわち、フッ素系ポリマーを第１発光モジュールカバー１６４として使用するためには紫外線透過率を考慮しなければならず、フッ素系ポリマーの場合、石英やＰＭＭＡよりは紫外線透過率が低いので、厚さが薄いほど紫外線透過率が高くなるが、第１発光モジュールカバー１６４の厚さを薄くすると、ポリマーの脆性によって小さな衝撃にも容易に崩れるおそれがあるので、材質自体をフレキシブルな軟性材質で構成することによって脆性を減少させることが好ましい。
【０１３９】
例えば、図１２及び図１３を参照すると、第１発光モジュールカバー１６４は、第１発光モジュール１６１の少なくとも一部に対応するように第１発光モジュール設置部１６０に設置されてもよく、第１発光モジュールカバー１６４は、前面２６４、及び前面２６４の少なくとも一辺に設けられるカバー枠部３６４を有し、前面２６４はカバー枠部３６４より厚さが薄くてもよい。すなわち、第１発光モジュールカバー１６４において、第１発光モジュール１６１から照射される光が透過する前面２６４は相対的に薄く形成されるので、光透過効率が高く、カバー枠部３６４は相対的に厚く形成されるので、第１発光モジュールカバー１６４の耐久性を向上させることができる。
【０１４０】
また、図１２及び図１３を参照すると、第１発光モジュールカバー１６４は、カバー枠部３６４から長さ方向Ａに延長された形態で設けられたカバー突出部５６４と、カバー枠部３６４から高さ方向Ｂに延長された形態で設けられたカバー段部４６４とを含んでもよく、カバー突出部５６４及びカバー段部４６４は、第１発光モジュールカバー１６４においてそれぞれ異なる面に配置される形態であってもよい。例えば、図１３を参照すると、第１発光モジュールカバー１６４は、前面２６４に対して垂直方向に突出した少なくとも一つのカバー突出部５６４を有してもよく、図１４を参照すると、第１発光モジュール設置部１６０は、カバー挿入溝１６６において第１発光モジュール挿入溝７６４が配置された方向に設けられたカバー段部ガイド部１４６４と、カバー挿入溝１６６において第１発光モジュール挿入溝７６４から遠くなる方向に設けられたカバー突出部ガイド部１５６４とが設けられ、カバー段部ガイド部１４６４及びカバー突出部ガイド部１５６４には、カバー挿入溝１６６を挟んで段差１６７が設けられてもよい。具体的には、図１４を参照すると、第１発光モジュールカバー１６４がカバー挿入溝１６６に挿入され、第１発光モジュールカバー１６４のカバー段部４６４によって第１発光モジュール設置部１６０に密着・固定されることによって、第１発光モジュールカバー１６４の振動による騒音発生を防止し、第１発光モジュールカバー１６４、１１６４の振動によって害虫の光誘引効率が劣悪になることを防止することができる。また、第１発光モジュールカバー１６５がカバー突出部５６４を有することによって、外部の埃又は昆虫の流入によって第１発光モジュール１６１が破損する現象をさらに確実に防止することができる。
【０１４１】
また、第１発光モジュールカバー１１６４は、防水が可能な形態であってもよい。一例として、図１５を参照すると、第１発光モジュールカバー１１６４には、第１発光モジュール１６１が挿入できるように設けられた第１発光モジュール挿入溝６６４を含む開口された空間が設けられる。また、第１発光モジュールカバー１１６４は、少なくとも一面に設けられ、第１発光モジュール１６１と対向する前面１２６４を含んでもよく、第１発光モジュールカバー１１６４は、全部又は少なくとも一部が透明な領域を含んでもよく、例えば、前面１２６４の少なくとも一部は透明領域を含んでもよい。例えば、第１発光モジュールカバー１１６４は、第１発光モジュール１６１が挿入される空間を有するハウジング１２６８と、ハウジング１２６８の少なくとも一側に設けられた載置部１２６６とを含んでもよい。
【０１４２】
一例として、前面１２６４は、第１発光モジュールカバー１１６４の外部、例えば、ハウジング１２６８の外部に突出した突出板１２６５を含んでもよい。害虫、特に蚊は、直接照射される光に比べて屈折又は拡散される光による誘引効率が高いが、第１発光モジュール１６１から照射される光が透過する前面１２６４の一部に突出板１２６５が設けられることによって、第１発光モジュール１６１から照射される光が屈折又は拡散され、害虫の誘引効率が向上し得る。例えば、突出板１２６５は、ハウジング１２６８の他面から階段形状に突出する形状であってもよく、長さ、高さ及び厚さを有する板形状であってもよい。例えば、突出板１２６５は、単数又は複数の階段形状を含んでもよく、前記階段形状は、ハウジング１２６８の他面から垂直に突出したり、又は勾配を有する形状であったりしてもよく、少なくとも一部に凹凸が設けられ、光を効果的に屈折又は拡散させることによって害虫の光誘引効率を向上させ、害虫の捕集効率を向上させることができる。
【０１４３】
一例として、第１発光モジュールカバー１１６４は、ハウジング１２６８の少なくとも一側に設けられた載置部１２６６を含み、第１発光モジュールカバー１１６４が第１発光モジュール設置部１６０に載置されてもよい。例えば、第１発光モジュール設置部１６０に設けられた開口部に第１発光モジュールカバー１１６４の少なくとも一部が引き込まれ、ハウジング１２６８の末端に板形状に延長されて形成された載置部１２６６によってハウジング１２６８の引き込みが停止する形態であってもよい。このとき、捕虫器は、第１発光モジュール設置部１６０上に装着可能な屋根１６５をさらに含んでもよいが、第１発光モジュール設置部１６０に設けられた開口部に第１発光モジュールカバー１１６４が引き込まれ、載置部１２６６が第１発光モジュール設置部１６０上に載置及び固定された後、屋根１６５が第１発光モジュール設置部１６０上に結合されることによって、第１発光モジュールカバー１１６４内に装着された第１発光モジュール１６１に外部汚染物質又は水分が流入しないように防水又は防湿が可能な形態であってもよい。すなわち、第１発光モジュールカバー１１６４により、本発明に係る捕虫器は、害虫の誘引光源である第１発光モジュール１６１が外部の埃などの異物によって損傷されることを防止するだけでなく、防水及び防湿が可能であるので、誘引光源の耐久性及び寿命を向上させることができ、誘引光源による害虫の誘引効率を向上させることができる。
【０１４４】
一例として、載置部１２６６の少なくとも一部は、載置部１２６６との間に段差が形成された結合部１２６７を含んでもよい。このとき、載置部１２６６と結合部１２６７によって形成された結合部段差１２６９に対応するように突出した段差部（図示せず）が第１発光モジュール設置部１６０に設けられ、第１発光モジュールカバー１１６４と第１発光モジュール設置部１６０とが堅固に結合されることによって、第１発光モジュールカバー１１６４によって外部の埃などの異物による損傷をさらに防止し、防水及び防湿効果をさらに向上できるようになり、誘引光源の耐久性及び寿命を向上させ、誘引光源による害虫の誘引効率をさらに向上させることができる。
【０１４５】
一例として、第１発光モジュール設置部１６０と第１発光モジュールカバー１１６４との間にパッキング部材がさらに装着されてもよい。すなわち、載置部１２６６と第１発光モジュール設置部１６０との間又は結合部１２６７と第１発光モジュール設置部１６０との間にパッキング部材、例えば、ゴム材質のパッキング部材が装着され、第１発光モジュールカバー１１６４と第１発光モジュール設置部１６０とがさらに堅固に結合されることによって、第１発光モジュールカバー１１６４によって外部の埃などの異物による損傷をさらに防止し、防水及び防湿効果をさらに向上できるようになり、誘引光源の耐久性及び寿命を向上させ、誘引光源による害虫の誘引効率をさらに向上させることができる。
【０１４６】
一方、第１発光モジュールカバー１６４、１１６４は、第１発光モジュール１６１から照射される光を屈折又は拡散できるように表面が凹凸処理されたり、別途の拡散板が第１発光モジュールカバー１６４、１１６４の前方又は後方に接着又は離隔して配置されたりする形態であってもよい。昆虫は、光が直接照射される場合に比べて光が屈折又は拡散される場合に誘引効率が向上する傾向を示すが、第１発光モジュール１６１から照射された光が、直ぐに第１発光モジュールカバー１１６４を透過せずに屈折又は拡散されるようにし、その結果、昆虫の光誘引効率を向上させることができる。
【０１４７】
第１発光モジュール１６１、２６１、３６１
図８〜図１０は、本発明の一実施例に係る第１発光モジュール１６１、２６１、３６１を示した図である。
【０１４８】
第１発光モジュール１６１、２６１、３６１は、紫外線、可視光線、及び赤外線のうち少なくとも一つの波長を有する光を提供することができ、好ましくは紫外線を提供することができる。昆虫が誘引される波長と関連して、ハエ及びトビイロウンカは約３４０ｎｍ又は約５７５ｎｍの波長の光を好み、蛾及び蚊は約３６６ｎｍの波長の光を好むと報告されている。また、その他の一般的な害虫は、約３４０ｎｍ〜３８０ｎｍの波長の光を相対的に好むと報告されている。
【０１４９】
好ましくは、第１発光モジュール１６１、２６１、３６１から照射される光の波長は３４０ｎｍ〜３９０ｎｍであってもよく、昆虫、特に蚊は強く誘引される一方で、人体に対する有害性が低いという点で約３６５ｎｍの波長の光が照射されるように制御することがさらに好ましい。
【０１５０】
第１発光モジュール１６１、２６１、３６１は、第１発光基板１６２上に実装される少なくとも一つ以上の第１発光ダイオードチップ１６３又は少なくとも一つ以上の第１発光ダイオードパッケージを含んでもよく、第１発光基板１６２の過熱現象を抑制するために、前記発光ダイオードチップ又は前記第１発光ダイオードパッケージはジグザグ形態であってもよい。
【０１５１】
第１発光基板１６２は、所定の厚さを有するパネル形状であってもよく、内部に集積回路又は配線を備える印刷回路基板を含んでもよい。一例として、第１発光基板１６２は、第１発光ダイオードチップ１６３が実装される領域に回路パターンを備える印刷回路基板であってもよく、第１発光基板１６２は、金属、半導体、セラミック、ポリマーなどの材質からなってもよい。
【０１５２】
具体的に、第１発光モジュール１６１、２６１、３６１は、長い平板形状のＰＣＢ上に第１発光ダイオードチップ１６３が実装された形態であってもよい。第１発光ダイオードチップ１６３は、ＰＣＢの長さ方向に沿って複数、例えば、４個〜１０個が離隔して設置されてもよい。前記ＰＣＢの他面には、第１発光ダイオードチップ１６３で発生する熱を放熱するための放熱フィンが設置されてもよく、第１発光モジュール１６１、２６１、３６１の両端には、電源端子と接続してＰＣＢに電源を供給する端子が設置されてもよい。
【０１５３】
第１発光モジュール１６１、２６１、３６１は、入力電圧が１０Ｖ〜１５Ｖで、入力電流が７５ｍＡ〜１００ｍＡであるとき、光出力が１０００ｍＷ〜１５００ｍＷの電力を消耗するように製造することができる。前記数値範囲内で、３６５ｎｍの波長の光に昆虫を効果的に誘引できると同時に、人体には無害な波長及び強さの紫外線を照射しながらも電力浪費を最小化することができる。
【０１５４】
第１発光モジュール１６１、２６１、３６１において、第１発光基板１６２の一面に実装された第１発光ダイオードチップ１６３又は前記第１発光ダイオードパッケージは、第１発光基板１６２の他面に実装された第１発光ダイオードチップ１６３又は前記第１発光ダイオードパッケージと重ならないように第１発光基板１６２上に配列される形態であってもよく、具体的な形態は特に制限されないが、複数の列で配列される形態又はジグザグ形態であってもよい。よって、本発明の一実施例に係る捕虫器１０００は、光の照射範囲を大きく拡張させながら電力消耗を最小化することができ、第１発光ダイオードチップ１６３で発生する熱を効果的に放出し、第１発光モジュール１６１、２６１、３６１の耐久性を向上させることができる。
【０１５５】
第１発光ダイオードチップ１６３又は前記第１発光ダイオードパッケージは、点発光の光を照射することができ、第１発光ダイオードチップ１６３又は第１発光ダイオードパッケージは複数の点発光の光源を含み、前記点発光の光源は、他の前記点発光の光源から２ｍｍ〜５０ｍｍだけ離隔した形態であってもよい。
【０１５６】
第１発光モジュール１６１、２６１、３６１に供給される電気的エネルギーが光エネルギー及び熱エネルギーの形態に変換されながら第１発光ダイオードチップ１６３で熱が発生するが、第１発光ダイオードチップ１６３から５ｍｍ以内で離隔した空間で測定した温度が３０℃〜６０℃であってもよい。昆虫、特に蚊は、体温と類似する約３８℃〜４０℃の温度によって強く誘引されるので、第１発光モジュール１６１、２６１、３６１から照射される紫外線による誘引効果に加えて、第１発光モジュール１６１、２６１、３６１によって発生した熱によって捕虫器１０００に昆虫を強く誘引することができる。
【０１５７】
したがって、本発明の一実施例に係る捕虫器１０００は、入力電圧が１０Ｖ〜１５Ｖで、入力電流が７５ｍＡ〜１００ｍＡであるとき、光出力が１０００ｍＷ〜１５００ｍＷになるように製造された第１発光モジュール１６１、２６１、３６１を使用し、第１発光基板１６２の一面に実装された第１発光ダイオードチップ１６３又は前記第１発光ダイオードパッケージは、第１発光基板１６２の他面に実装された第１発光ダイオードチップ１６３又は前記第１発光ダイオードパッケージと重ならないように第１発光基板１６２上に配列されることによって、電力消耗を最小化し、人体に無害である一方で、昆虫誘引効率が高い光を照射すると同時に、捕虫器１０００の周辺に昆虫の誘引効果が高い温度を形成できるように熱を発生させることができる。
【０１５８】
本発明に係る第１発光モジュール１１６２、１２６２、１３６２、１４６２、１５６２、１６６２、第１発光モジュール設置部１１６０及び第１発光モジュール設置部支持台１０、１１の更に他の実施例
本発明の更に他の一実施例に係る捕虫器は、光発散角度が十分に広いと共に、光到達距離が遠くなるように制御された第１発光モジュール１１６２、１２６２、１３６２、１４６２、１５６２、１６６２を含むことによって、昆虫、特に蚊の光誘引効率を向上させることができ、以下では、これを図２９〜図３４を参照して説明する。
【０１５９】
図２９（ａ）、（ｂ）は、本発明の一実施例に係る捕虫器の第１発光ダイオードチップの光発散角及び光到達距離を概略的に示した図で、図３０（ａ）は、図２９（ａ）による光発散角を示し、図３０（ｂ）は、図２９（ｂ）による光発散角を示した図である。
【０１６０】
図２９及び図３０を参照すると、第１発光モジュール１６１、２６１、３６１に実装される複数の第１発光ダイオードチップ１６３、２６３、３６３の光発散角は異なってもよい。本明細書で称する第１発光ダイオードチップ１６３は、光発散角及び光到達距離は特に限定されず、第１発光ダイオードチップ２６３、３６３をその例として適用することができ、図面で示した符号１６３は、本明細書で使用した符号２６３及び３６３に置換して適用してもよい。また、本明細書で使用した用語である光発散角は、相対強度（ｒｅｌａｔｉｖｅ  ｒａｄ  ｉｎｔｅｎｓｉｔｙ）が４０％以上である領域、一例として、５０％以上である領域を称することができる。一方、図２９（ａ）及び図３０（ａ）を参照すると、第１発光ダイオードチップ２６３の光発散角は１００゜〜１４０゜であってもよく、図２９（ｂ）及び図３０（ｂ）を参照すると、第１発光ダイオードチップ３６３の光発散角は４０゜〜８０゜であってもよい。このとき、第１発光ダイオードチップ２６３、３６３の光到達距離が異なってもよく、例えば、光発散角が広い第１発光ダイオードチップ２６３に比べて光発散角が狭い第１発光ダイオードチップ３６３の光到達距離がさらに遠くに形成されてもよい。すなわち、捕虫器は、第１発光モジュール１６１、２６１、３６１に光発散角及び光到達距離が異なる複数の第１発光ダイオードチップ１６３、２６３、３６３を実装し、光到達領域が広いと共に、光到達距離が遠くなるように制御することによって、蚊の光誘引効率を向上させ、捕虫効率を向上させることができる。
【０１６１】
また、図２９を参照すると、第１発光ダイオードチップ２６３、３６３は、発光チップ２６３ａ、３６３ａ、光出射部２６３ｂ、３６３ｂ、フランジ２６３ｃ、３６３ｃ及び基板２６３ｄ、３６３ｄを含んでもよい。光出射部２６３ｂ、３６３ｂは、発光チップ２６３ａ、３６３ａから放出された光が通過する部分であって、樹脂でモールディングされ、発光チップ２６３ａ、３６３ａの上面及び側面の少なくとも一部に接触して覆う形態であったり、又は発光チップ２６３ａ、３６３ａと光出射部２６３ｂ、３６３ｂとの間の空間である入光部をさらに含む形態であったりしてもよい。また、光出射部２６３ｂ、３６３ｂは、発光チップ２６３ａ、３６３ａの上面から照射された光のみが放出される形態であったり、又は上面及び側面の全てから照射された光が放出される形態であったりしてもよい。フランジ２６３ｃ、３６３ｃは、基板２６３ｄ、３６３ｄ上で凸状に突出した形態である光出射部２６３ｂ、３６３ｂと区分される形態であって、光出射部２６３ｂ、３６３ｂの外郭で平らな形態に形成されてもよく、光出射部２６３ｂ、３６３ｂと同一の材質を含んでもよい。第１発光ダイオードチップ２６３、３６３は、フランジ２６３ｃ、３６３ｃが形成されるようにし、光出射部２６３ｂ、３６３ｂの素材、例えば、シリコンモールディングと基板２６３ｄ、３６３ｄとの接着力を向上させると同時に、発光チップ２６３ａ、３６３ａへの透湿を防止することができる。
【０１６２】
一例として、複数の第１発光ダイオードチップ２６３、３６３は、光出射部の幅ｒ、ｒ'が互いに異なる第１発光ダイオードチップ２６３、３６３を含んでもよく、例えば、光出射部の幅ｒ、ｒ'が互いに異なる２個の第１発光ダイオードチップ２６３、３６３を含んでもよく、具体的な例として、光出射部の幅ｒ、ｒ'が互いに異なる２個の第１発光ダイオードチップ２６３、３６３が交差して配置されてもよい。本発明で称する前記光出射部２６３ｂ、３６３ｂの幅は、図２９においてｙ軸方向よりは相対的にｘ軸方向を示し、光出射部２６３ｂ、３６３ｂの各最低点の間の長さのうち最も長い長さを意味することができ、例えば、光出射部２６３ｂ、３６３ｂの最低点は、フランジ２６３ｃ、３６３ｃと光出射部２６３ｂ、３６３ｂとの境界点であってもよい。このとき、第１発光ダイオードチップ２６３、３６３は、同一の発光チップ２６３ａ、３６３ａを使用した場合であっても、光出射部の幅ｒ、ｒ'が互いに異なる場合に光発散角が異なり得る。例えば、光出射部の幅ｒが相対的に長い場合（図２９（ａ））は、相対的に短い場合（図２９（ｂ））に比べて光発散角が広くなる効果を発生させることができる。このとき、光発散角が相対的に狭い場合は、相対的に広い場合に比べて光到達距離がさらに長く形成されることは上述した通りである。すなわち、捕虫器は、第１発光モジュール１６１、２６１、３６１に光出射部の幅ｒ、ｒ'が互いに異なる複数の第１発光ダイオードチップ２６３、３６３を実装することによって、第１発光ダイオードチップ２６３、３６３の光発散角及び光到達距離がそれぞれ異なるようにし、第１発光モジュール１６１、２６１、３６１の光到達領域が広いと共に、光到達距離が遠くなるように制御することによって、蚊の光誘引効率を向上させ、捕虫効率を向上させることができる。
【０１６３】
一例として、複数の第１発光ダイオードチップ２６３、３６３は、光出射部の高さｈ、ｈ'が互いに異なる第１発光ダイオードチップ２６３、３６３を含んでもよく、例えば、光出射部の高さｈ、ｈ'が互いに異なる２個の第１発光ダイオードチップ２６３、３６３を含んでもよく、具体的な例として、光出射部の高さｈ、ｈ'が互いに異なる２個の第１発光ダイオードチップ２６３、３６３が交差して配置されてもよい。本発明で称する前記光出射部の高さｈ、ｈ'は、図２９においてｘ軸方向よりは相対的にｙ軸方向を示し、光出射部２６３ｂ、３６３ｂの最高点と発光チップ２６３ａ、３６３ａの上面の中心点との間の最短距離を意味することができる。このとき、第１発光ダイオードチップ１６３、２６３、３６３は、同一の発光チップ２６３ａ、３６３ａを使用した場合であっても、光出射部の高さｈ、ｈ'が異なる場合に光発散角が異なり得る。例えば、光出射部の高さｈ、ｈ'が相対的に高い場合（図２９（ｂ））は、相対的に低い場合（図２９（ａ））に比べて光発散角が狭くなる効果を発生させることができる。このとき、光発散角が相対的に狭い場合は、相対的に広い場合に比べて光到達距離がさらに長く形成されることは上述した通りである。すなわち、捕虫器は、第１発光モジュール１６１、２６１、３６１に光出射部の高さｈ、ｈ'が異なる複数の第１発光ダイオードチップ２６３、３６３を実装することによって第１発光ダイオードチップ２６３、３６３の光発散角及び光到達距離がそれぞれ異なるようにし、第１発光モジュール１６１、２６１、３６１の光到達領域が広いと共に、光到達距離が遠くなるように制御することによって、蚊の光誘引効率を向上させ、捕虫効率を向上させることができる。
【０１６４】
図３１は、本発明の一実施例に係る捕虫器の第１発光モジュールを示した図である。
【０１６５】
図３１を参照すると、捕虫器は、多様な形態の第１発光モジュール１１６２、１２６２、１３６２、１４６２、１５６２を含んでもよい。
【０１６６】
一例として、図３１（ａ）に示したように、第１発光モジュール１１６２は、フレキシブル基板２６２に第１発光ダイオードチップ１６３、２６３、３６３が実装された形態であってもよく、第１発光ダイオードチップ１６３、２６３、３６３は、光発散角及び光到達距離がそれぞれ同一又は異なるものであってもよい。このとき、前記フレキシブル基板２６２は、全部又は一部が折曲可能な形態であってもよい。すなわち、第１発光モジュール１１６２は、第１発光モジュール１１６２が配置される空間の形態に応じて屈曲可能な形態のフレキシブル基板２６２を適用することによって、第１発光モジュール設置部１６０、１１６０の空間活用を向上させると同時に、使用環境に応じてフレキシブル基板２６２を異なる形態に変更することによって、昆虫、特に蚊の光誘引効率を向上させ、捕虫効率を向上させることができる。
【０１６７】
一例として、図３１（ｂ）に示したように、第１発光モジュール１２６２は、円形基板、例えば、中間部が穿孔された円形状の第１発光基板３６２に第１発光ダイオードチップ１６３、２６３、３６３が実装された形態であってもよく、第１発光ダイオードチップ１６３、２６３、３６３は、光発散角及び光到達距離がそれぞれ同一又は異なるものであってもよい。すなわち、第１発光モジュール１２６２は、全ての方向に光を照射できる形態を有することによって、周辺の昆虫、特に蚊の光誘引効率を向上させ、捕虫効率を向上させることができる。
【０１６８】
一例として、図３１（ｃ）に示したように、第１発光モジュール１３６２は、多面体形状の第１発光基板４６２に第１発光ダイオードチップ１６３、２６３、３６３が実装された形態であってもよく、第１発光ダイオードチップ１６３、２６３、３６３は、光発散角及び光到達距離がそれぞれ同一又は異なるものであってもよく、例えば、一面に異なる光発散角及び光到達距離を有する第１発光ダイオードチップ１６３、２６３、３６３が実装されてもよい。すなわち、第１発光モジュール１３６２は、多面体形状の第１発光基板４６２を有することによって、全ての方向に光を照射できると同時に、使用環境に応じて一面に実装される第１発光ダイオードチップ１６３、２６３、３６３としては、光発散角及び光到達距離がそれぞれ同一又は異なるものを使用できるようになり、その結果、昆虫、特に蚊の光誘引効率を向上させ、捕虫効率を向上させることができる。
【０１６９】
一例として、図３１（ｄ）に示したように、第１発光モジュール１４６２は、少なくとも一つの弧を有する形状の第１発光基板５６２に第１発光ダイオードチップ１６３、２６３、３６３が実装された形態であってもよく、第１発光ダイオードチップ１６３、２６３、３６３は、光発散角及び光到達距離がそれぞれ同一又は異なるものであってもよく、例えば、一つの弧及び一つの面を有する“Ｄ”字状又は半月形状の基板を適用してもよい。すなわち、第１発光モジュール１４６２は、少なくとも一つの弧を有する形状の第１発光基板５６２を有することによって、使用環境に応じて光の照射領域が広いことが有利な領域には前記弧から光が照射されるようにし、光の照射領域が集中することが有利な領域には前記面から光が照射されるようにし、その結果、昆虫、特に蚊の光誘引効率を向上させ、捕虫効率を向上させることができる。
【０１７０】
一例として、図３１（ｅ）に示したように、第１発光モジュール１５６２は、少なくとも一つのコーナーがラウンド処理された多面体形状又は少なくとも一つのコーナーが面取り処理された多面体形状の基板１５６２に第１発光ダイオードチップ１６３、２６３、３６３が実装された形態であってもよく、第１発光ダイオードチップ１６３、２６３、３６３は、光発散角及び光到達距離がそれぞれ同一又は異なるものであってもよい。すなわち、第１発光モジュール１５６２は、少なくとも一つのコーナーがラウンド処理された多面体形状又は少なくとも一つのコーナーが面取り処理された多面体形状の基板１５６２を適用することによって、第１発光モジュール１５６２が第１発光モジュール設置部１６０、１１６０に挿入されて実装されるとき、コーナー同士が接触する場合に比べて接触面積が広くなるようにし、その結果、吸入ファン１５０による振動が発生したとしても応力を容易に分布させることによって、第１発光モジュール１５６２の耐久性を向上させることができる。
【０１７１】
図３２は、本発明の一実施例に係る捕虫器の第１発光モジュール及び第１発光モジュールカバーを示した図である。
【０１７２】
図２及び図３２を参照すると、第１発光モジュール設置部１６０は、第１発光モジュール１６６２の少なくとも一部に対応するように装着可能な第１発光モジュールカバー３２６４を含んでもよく、第１発光モジュールカバー１６４を参照して説明した材質などを適用してもよい。一方、第１発光モジュールカバー３２６４は、少なくとも一部に光発散角変換部３４６４を含み、光発散角変換部３４６４は光拡散部又は光縮小部を含んでもよい。まず、昆虫、特に蚊は、屈折された光による誘引効率がさらに高いことが確認できるが、第１発光モジュールカバー３２６４は、少なくとも一部に光発散角変換部３４６４を通過した光を屈折又は拡散させることによって光誘引効率を向上させ、捕集効率を向上させることができる。また、光発散角変換部３４６４は、図３２に示したように、特定の第１発光ダイオードチップ１６３、２６３、３６３の前方に設けられ、単一の印刷回路基板に実装された第１発光ダイオードチップ１６３、２６３、３６３が同一の光発散角及び光到達距離を有したとしても、図２９及び図３０を参照して説明したように、異なる光発散角及び光到達距離を有する複数の第１発光ダイオードチップ１６３、２６３、３６３を実装した場合と同一の効果、すなわち、昆虫、特に蚊の光誘引効率を向上させ、捕虫効率を向上させることができる。また、光発散角変換部３４６４は、第１発光モジュールカバー３２６４に限定されず、第１発光ダイオードチップに含まれる形態も可能である。例えば、第１発光ダイオードチップ１６３、２６３、３６３に発光ダイオード（ＬＥＤ）を適用する場合、入光部の少なくとも一部又は光出射部２６３ｂ、３６３ｂの少なくとも一部に光発散角変換部３４６４が含まれてもよく、光出射部２６３ｂ、３６３ｂに光発散角変換部（図示せず）がさらに含まれてもよい。すなわち、光発散角変換部３４６４が第１発光モジュールカバー３２６４の少なくとも一部に設けられたり、第１発光ダイオードチップ１６３、２６３、３６３に含まれたりするようにし、その結果、図２９及び図３０を参照して説明したように、異なる光発散角及び光到達距離を有する複数の第１発光ダイオードチップ１６３、２６３、３６３を実装した場合と同一の効果、すなわち、昆虫、特に蚊の光誘引効率を向上させ、捕虫効率を向上させることができる。
【０１７３】
図３３は、本発明の更に他の一実施例に係る捕虫器を示した分解斜視図である。
【０１７４】
図３３を参照すると、第１発光モジュール設置部１１６０は第１発光モジュール挿入溝１１６０ａを含んでもよい。第１発光モジュール挿入溝１１６０ａの形態は、上述した第１発光基板１６２、２６２、３６２、４６２、５６２、６６２の形態に応じて異なってもよく、例えば、円形状の第１発光モジュール１２６２を適用する場合、第１発光モジュール挿入溝１１６０ａは円形状であってもよい。すなわち、第１発光モジュール設置部１１６０は、上述した第１発光モジュール１６１、２６１、３６１、１１６２、１２６２、１３６２、１４６２、１５６２、１６６２が挿入可能な多様な形状の第１発光モジュール挿入溝１１６０ａを含むことによって、使用環境に応じて多様な形状の第１発光モジュール１６１、２６１、３６１、１１６２、１２６２、１３６２、１４６２、１５６２、１６６２を適用できるようになり、その結果、昆虫、特に蚊の光誘引効率を向上させ、捕虫効率を向上させることができる。
【０１７５】
図３４は、本発明の更に他の一実施例に係る捕虫器を示した側面図である。
【０１７６】
図３４を参照すると、上述した捕虫器は、胴体１１０上に第１発光モジュール設置部１６０、１１６０を離隔させて支持する第１発光モジュール設置部支持台１０、１１を含んでもよく、第１発光モジュール設置部支持台１０、１１は、第１発光モジュール設置部１６０、１１６０の下面に連結されてもよい。このとき、第１発光モジュール設置部支持台１０、１１は、第１発光モジュール１６１、２６１、３６１、１１６２、１２６２、１３６２、１４６２、１５６２、１６６２から照射される光を遮らないように配置されてもよい。例えば、図１〜図４に示したように、第１発光モジュール１６１、２６１、３６１が板形状の第１発光基板１６２を有する場合、第１発光基板１６２の両側面に第１発光モジュール設置部支持台１０、１１が配置され、板形状の第１発光基板１６２に設置された第１発光ダイオードチップ１６３から照射される光を遮らないように構成することができる。例えば、図３１（ｂ）、（ｃ）、（ｅ）及び図３３を参照して説明した全ての方向に光を照射できる形状の第１発光基板３６２、４６２、６６２を有する場合、図３４に示したように、第１発光モジュール設置部支持台１０、１１が第１発光基板３６２、４６２、６６２によって定義される領域の内部に配置され、第１発光ダイオードチップ１６３、２６３、３６３から照射される光を遮らないように構成することができる。例えば、図３１（ｄ）を参照して説明した“Ｄ”字状又は半月形状の基板を有する場合、第１発光モジュール設置部支持台１０、１１が第１発光基板１６２の両側面に配置されるように構成してもよく、第１発光基板５６２によって定義される領域の内部に配置されるように構成してもよい。すなわち、上述した捕虫器は、全ての方向に光を照射できる形態の第１発光モジュール１１６２、１２６２、１３６２、１４６２、１５６２を適用すると同時に、第１発光モジュール設置部支持台１０、１１が第１発光基板３６２、４６２、５６２、６６２によって定義される領域の内部に配置されるように構成し、その結果、昆虫、特に蚊の光誘引効率を向上させ、捕虫効率を向上させることができる。
【０１７７】
また、図３４を参照すると、第１発光モジュール設置部支持台１１は長さ調節部１１ａをさらに含んでもよい。長さ調節部１１ａは、第１発光モジュール設置部支持台１１において全部又は一部が折曲可能な部分であって、軟性素材を使用して形成したり、折り畳み式又は伸縮式部材を含んだりしてもよく、胴体１１０から垂直方向のみならず、水平方向にも動くことが可能であり、第１発光モジュール設置部１６０、１１６０の設置角度も調節され得る。すなわち、上述した捕虫器は、第１発光モジュール設置部支持台１１の長さを調節する長さ調節部１１ａをさらに含むことによって、ユーザーが設置環境に応じて第１発光モジュール１６１、２６１、３６１、１１６２、１２６２、１３６２、１４６２、１５６２、１６６２の設置高さ又は設置角度を制御できるようになり、昆虫、特に蚊の光誘引効率を向上させ、捕虫効率を向上させることができる。
【０１７８】
第２発光モジュール設置部１７０
図３及び図４を参照すると、本発明の一実施例に係る捕虫器１０００は、吸入ファン１５０と捕集部１９０との間に配置され、第２発光モジュール１７１が装着可能な第２発光モジュール設置部１７０を含んでもよい。
【０１７９】
第２発光モジュール設置部１７０の形態は特に限定されず、捕集部１９０、具体的には光触媒フィルター設置部２０と吸入ファン１５０との間に位置してもよい。
【０１８０】
第２発光モジュール設置部１７０は、胴体１１０の下端又は空気集塵部１３０から延長された単一又は複数の支持台によって支持される形態で設置されてもよく、光触媒フィルター設置部２０から延長された単一又は複数の支持台によって支持される形態で設置されてもよい。
【０１８１】
また、第２発光モジュール設置部１７０は、前記単一又は複数の支持台から取り外し可能な形態であってもよく、胴体１１０の一部として胴体１１０の下端に設置されたり、空気集塵部１３０の一部又は光触媒フィルター設置部２０の一部として光触媒フィルター設置部２０の上端に設置されたりしてもよく、好ましくは、第１発光モジュール１６１及び吸入ファン１５０と共にスイッチ３０による駆動制御が容易になるように胴体１１０の一部として胴体１１０の下端に設置されてもよく、胴体１１０と同一の材質で形成されることが工程の経済的な側面で好ましい。
【０１８２】
第２発光モジュール設置部１７０は、胴体１１０の下端に配置され、胴体１１０の下端の内壁から延長されて形成された単一又は複数の支持台によって支持されてもよく、前記支持台は、吸入ファン１５０によって形成された気流を妨害しないように格子形態であってもよく、具体的には円形部材及び放射状部材によって形成されてもよい。さらに具体的には、第２発光モジュール設置部１７０は、第２発光モジュール設置部１７０の中央を中心に複数の円形部材及び放射状部材によって中心角が４０゜〜９０゜である扇形の形態であってもよい。
【０１８３】
このとき、第２発光モジュール設置部１７０は、胴体１１０の下端の中央又は吸入ファン１５０のハブの下部に配置され、吸入ファン１５０を通過した昆虫が捕集部１９０に捕集される経路を妨害しないように構成することができる。また、第２発光モジュール設置部１７０は、吸入ファン１５０の下部に配置され、第２発光モジュール１７１で第２発光ダイオードチップ１７３の熱が発生する面、例えば、第２発光ダイオードチップ１７３が実装されない面が吸入ファン１５０に対応するように配置され、吸入ファン１５０によって形成された気流により第２発光モジュール１７１で発生する熱を冷却させることによって、第２発光モジュール１７１の信頼性及び耐久性を向上させることができる。
【０１８４】
一方、図１７〜図１８を参照すると、捕虫器１０００は、第２発光モジュール設置部１７０の下部に延長されて形成される第２突出部１７４をさらに含んでもよい。第２突出部１７４は、第２発光モジュール設置部１７０に実装された第２発光モジュール１７１を取り囲む形態を有し、光が捕虫器１０００の外部に照射されないように構成することによって、第１発光モジュール１６１による昆虫誘引効果を減少させないように構成することができ、昆虫が光触媒フィルター１８０に捕集されることを防止することができる。
【０１８５】
また、第２突出部１７４の内側面には、光反射物質が塗布又はコーティングされてもよい。すなわち、捕虫器１０００は、第２突出部１７４を有することによって、第２発光モジュール１７１から放出された光が光触媒フィルター１８０に集光され、光触媒フィルター１８０による脱臭機能を向上させると同時に、二酸化炭素の発生効率を向上させることによって害虫の捕集効率をさらに向上させることができる。
【０１８６】
第２発光モジュール１７１
図４を参照すると、本発明の一実施例に係る捕虫器１０００は、光触媒フィルター１８０の方向に光が照射されるように第２発光モジュール設置部１７０の下端に装着された第２発光モジュール１７１を含んでもよい。
【０１８７】
第２発光モジュール１７１は、紫外線、可視光線、及び赤外線のうち少なくとも一つの波長を有する光を提供することができ、好ましくは紫外線を提供することができる。
【０１８８】
第２発光モジュール１７１から照射される光の波長は２００ｎｍ〜４００ｎｍであってもよく、第２発光モジュール１７１が殺菌目的で使用される場合、２００ｎｍ〜３００ｎｍの波長になるように制御することができ、第２発光モジュール１７１は、入力電圧が５Ｖ〜３０Ｖで、入力電流が５０ｍＡ〜１００ｍＡであるとき、光出力が５００ｍＷ〜３０００ｍＷであってもよい。第２発光モジュール１７１から照射される光が前記波長範囲であったり前記光出力を示したりするとき、光触媒フィルター１８０の反応効率が向上し得る。
【０１８９】
第２発光モジュール１７１は、第２発光基板１７２上に実装される少なくとも一つ以上の第２発光ダイオードチップ１７３又は少なくとも一つ以上の第２発光ダイオードパッケージを含んでもよい。
【０１９０】
第２発光モジュール１７１は第２発光基板１７２を含んでもよく、第２発光基板１７２は、その形態は特に限定されないが、胴体１１０の下端の中央に配置され、吸入ファン１５０によって形成された吸入気流を妨害する効果を抑制できるという点で円形であってもよく、具体的には中央が開口された形態であってもよく、さらに具体的には、開口された中央に電線が連結され、電源端子が第２発光モジュール１７１に接続されてもよい。
【０１９１】
第２発光ダイオードチップ１７３又は前記第２発光ダイオードパッケージは、点発光の光を照射することができ、第２発光ダイオードチップ１７３又は第２発光ダイオードパッケージは複数の点発光の光源を含み、前記点発光の光源は、他の前記点発光の光源から２ｍｍ〜５０ｍｍだけ離隔した形態であってもよい。
【０１９２】
第２発光ダイオードチップ１７３は、第２発光基板１７２の形態に応じて複数、例えば、２個〜６個、好ましくは２個〜４個が離隔して設置されてもよい。
【０１９３】
また、第２発光モジュール１７１はＵＶＣを照射することができ、捕虫器１０００を殺菌したり、捕集部１９０に捕集された昆虫を殺虫したりすることができる。
【０１９４】
光触媒フィルター設置部２０、２１、２２
図３及び図４を参照すると、本発明の一実施例に係る捕虫器１０００は、第２発光モジュール設置部１７０の下部に配置され、光触媒フィルター１８０が装着可能な光触媒フィルター設置部２０を含んでもよい。
【０１９５】
光触媒フィルター設置部２０の形態は、光触媒フィルター１８０が安定的に実装できる構造であれば特に限定されず、胴体１１０の下端又は空気集塵部１３０から延長された単一又は複数の支持台によって形成されてもよく、第２発光モジュール設置部１７０に装着された第２発光モジュール１７１又は第２発光ダイオードチップ１７３を容易に交換できるという点で空気集塵部１３０から延長された支持台によって形成されてもよい。
【０１９６】
図５〜図７は、本発明の一実施例に係る捕虫器１０００の空気集塵部１３０、２３０、３３０を示した図である。
【０１９７】
図５〜図７を参照すると、光触媒フィルター設置部２０、２１、２２は、空気集塵部中間部１３２から延長された複数の支持台によって形成されてもよく、空気集塵部中間部１３２と空気集塵部入口部１３１との境界地点から延長された複数の支持台によって形成されてもよく、空気集塵部入口部１３１の上端と末端からそれぞれ延長された複数の支持台によって形成されてもよく、その他に、図５〜図７から類推できる範囲内の多様な形態で実施され得る。
【０１９８】
光触媒フィルター１８０
図３及び図４を参照すると、本発明の一実施例に係る捕虫器１０００は、光触媒フィルター設置部２０に光触媒フィルター１８０が装着されてもよい。
【０１９９】
光触媒フィルター１８０は、光触媒媒質として光触媒反応を提供する物質を含んでもよい。具体的に、前記光触媒媒質は、酸化チタン（ＴｉＯ2）、酸化シリコン（ＳｉＯ2）、酸化タングステン（ＷＯ3）、酸化ジルコニウム（ＺｒＯ2）、チタン酸ストロンチウム（ＳｒＴｉＯ3）、酸化ニオブ（Ｎｂ2Ｏ5）、酸化鉄（Ｆｅ2Ｏ3）、酸化亜鉛（ＺｎＯ）、及び酸化スズ（ＳｎＯ2）からなる群より選ばれるいずれか一つ又はこれらの組み合わせから形成された光触媒媒質を含んでもよい。一例として、光触媒フィルター１８０は、酸化チタン（ＴｉＯ2）を含む層状構造で形成されてもよい。
【０２００】
光触媒フィルター１８０は、メタルフォーム（ｍｅｔａｌ  ｆｏａｍ）や多孔性セラミックのように空気の流れが流通できる材質に光触媒フィルター１８０がコーティングされるように製造されたり、空気の流れが可能な構造を有する物質であったりしてもよい。
【０２０１】
光触媒フィルター１８０は、第２発光モジュール１７１から放出される約２００ｎｍ〜４００ｎｍの紫外線と光触媒反応を行うことができる。前記光触媒媒質に紫外線が吸収されると、表面に電子（ｅ−）と正孔（＋）が生成されて光触媒の表面に移動するようになるが、このときに生成された電子と正孔は、空気中の汚染物質と酸化還元反応を行うことによって汚染物質を除去することができる。また、前記光触媒の表面に生成された電子は、前記光触媒媒質の表面に存在する酸素と反応することによってスーパーオキシドアニオンラジカル（・Ｏ２−）を生成し、正孔は、光触媒表面や空気中に存在する水酸化基（−ＯＨ）又は水分と反応することによって水酸化ラジカル（・ＯＨ−）を生成することができる。
【０２０２】
前記反応で生成された水酸化ラジカルは、強い酸化剤として作用することによって殺菌作用を行うことができ、空気中の有機汚染物質を酸化分解することによって、捕虫器１０００の内部に流入した空気内の汚染物質及び悪臭物質を分解して水と二酸化炭素に変換させることができる。
【０２０３】
すなわち、本発明の一実施例に係る捕虫器１０００は、第２発光モジュール１７１によって照射された紫外線によって光触媒フィルター１８０で光触媒反応が進められながら殺菌及び脱臭作用を行うことができる。
【０２０４】
また、前記光触媒反応によって形成された二酸化炭素は、蚊誘引効果が高い物質として知られており、前記二酸化炭素の発生効率を増加させるために、乳酸、アミノ酸、塩化ナトリウム、尿酸、アンモニア又はタンパク質分解物質などの誘引物質を光触媒フィルター１８０にさらに提供することができる。前記誘引物質を提供する方法は特に制限されないが、一例として、光触媒フィルター１８０内の前記光触媒層に誘引物質を塗布したり、周期的又は非周期的に前記光触媒層に誘引物質を噴射したりする方法を適用することができる。これを通じて増加した二酸化炭素の濃度は、昆虫の誘引効率をさらに増加させることができる。
【０２０５】
すなわち、本発明の一実施例に係る捕虫器１０００は、第２発光モジュール１７１及び光触媒フィルター１８０が設置されることによって殺菌及び脱臭効果を期待できるだけでなく、光触媒反応中に生成された二酸化炭素による昆虫、特に蚊誘引効果をさらに期待することができる。
【０２０６】
スイッチ３０
図３及び図４を参照すると、本発明の一実施例に係る捕虫器１０００は、第１発光モジュール１６１、吸入ファン１５０、及び第２発光モジュール１７１の電力供給システムを制御するスイッチ３０をさらに含んでもよい。
【０２０７】
スイッチ３０は、電力供給システムの制御形態に応じて単一又は複数であってもよく、スイッチ３０の設置位置は、ユーザーが容易に接触できる位置であれば特に限定されず、第１発光モジュール設置部１６０の上端又は下端、胴体１１０の上端又は側面などに設置されてもよい。好ましくは、スイッチ３０は、第１発光モジュール１６１、吸入ファン１５０、及び第２発光モジュール１７１と電気的に連結される距離が短く、ユーザーがスイッチ３０に圧力を加えるとき、捕虫器１０００が安定的に抵抗できる摩擦力が大きく形成されるように胴体１１０の上端に設置されてもよい。
【０２０８】
本発明の一実施例に係る捕虫器１０００は、スイッチ３０によって第１発光モジュール１６１、吸入ファン１５０、及び第２発光モジュール１７１がそれぞれ個別的に制御できるようにし、ユーザーの嗜好又は必要に応じて電力供給システムを制御することができる。
【０２０９】
また、本発明の一実施例に係る捕虫器１０００は、スイッチ３０によって第１発光モジュール１６１、吸入ファン１５０、及び第２発光モジュール１７１からなる群より選ばれるいずれか二つ以上及び残りの一つの電力供給システムを制御することができる。
【０２１０】
具体的には、スイッチ３０は、第２発光モジュール１７１が駆動し、選択的に第１発光モジュール１６１及び吸入ファン１５０が駆動する電力供給システムを制御することができる。すなわち、スイッチ３０の動作によって電力が供給される場合、第２発光モジュール１７１は、いずれの場合にも駆動し、捕虫器１０００の脱臭機能を行うことができ、選択的に第１発光モジュール１６１及び吸入ファン１５０が駆動し、捕虫器１０００の脱臭機能を行うと同時に、蚊の誘引機能を行うことができる。
【０２１１】
また、スイッチ３０は、第１発光モジュール１６１及び吸入ファン１５０が駆動し、選択的に第２発光モジュール１７１が駆動する電力供給システムを制御することができる。すなわち、スイッチ３０の動作によって電力が供給される場合、第１発光モジュール１６１及び吸入ファン１５０は、いずれの場合にも駆動し、捕虫器１０００の蚊誘引機能を行うことができ、選択的に第２発光モジュール１７１が駆動し、捕虫器１０００の蚊誘引機能を行うと同時に、脱臭機能を行えるようにし、捕虫器１０００の活用度を向上させることができる。また、捕虫器１０００は、電線が接続されることによって外部電源から電力が供給されたり、又は携帯用エネルギー貯蔵装置が搭載されたりすることによって使用環境に影響されなくなり得る。本発明の更に他の一実施例に係る捕虫器１０００は、胴体１１０と、胴体１１０上に配置され、昆虫を通過させる昆虫通過部１２０と、胴体１１０の下部に配置された空気集塵部１３０、２３０、３３０と、空気集塵部１３０、２３０、３３０と昆虫通過部１２０との間に位置する吸入ファン１５０と、昆虫通過部１２０の上部に配置され、第１発光モジュール１６１が装着された第１発光モジュール設置部１６０と、空気集塵部１３０、２３０、３３０の下部に配置され、昆虫を捕集する捕集部１９０と、吸入ファン１５０と捕集部１９０との間に配置され、第２発光モジュール１７１が装着された第２発光モジュール設置部１７０と、第２発光モジュール設置部１７０の下部に配置された光触媒フィルター１８０とを含んでもよい。
【０２１２】
第１発光モジュール１６１は、第１発光モジュール設置部１６０から取り外し可能な形態であってもよく、光触媒フィルター１８０は、光触媒フィルター設置部２０から取り外し可能な形態であってもよい。
【０２１３】
以下、図１９〜図２８を参照して説明する捕虫器２０００は、上述した捕虫器１０００で電力を効率的に消費すると同時に、昆虫の光誘引効率を向上させ、ユーザーの眩しさを防止し、使用の便宜性を増大させ、昆虫の誘引光の交換時期を予め確認し、昆虫の光誘引効果を最適な状態に維持するための構成をさらに提供する。従来の捕虫器は、昼間又は捕虫器の周辺光の照度が高い場合、誘引光による昆虫誘引効率が非常に低かった。また、ユーザーが捕虫器に近接して活動するとき、誘引光によって眩しさを感じたり、人体に有害であったりした。また、誘引光の交換時期を予め確認できないので、誘引光による昆虫誘引効率が非常に劣悪になるという問題があった。そこで、本発明の発明者等は、前記のような問題を解決するために、照度センサー、モーションセンサー及びＵＶセンサーを適用し、各構成の位置及び駆動方法と関連した実験を繰り返した結果、以下で説明する構成を完成するに至った。
【０２１４】
図１９は、本発明に係る捕虫器の構成ブロック図である。
【０２１５】
図１９を参照すると、捕虫器２０００は、制御部２１００、センサー部２２００、光源部２３００、入力部２４００、及び電源部２５００を含んでもよい。
【０２１６】
制御部２１００は、入力された情報に基づいて捕虫器２０００の作動を制御することができ、例えば、光源部２３００の作動を制御することができる。制御部２１００は、センサー部２２００から獲得された情報のうち少なくとも一部を処理し、これを多様な方法でユーザーに提供したり、光源部２３００の駆動を制御したりすることができる。
【０２１７】
電源部２５００は、捕虫器２０００に電源を供給するものであって、一般的な交流電源を使用して充電することができ、バッテリーを用いる形態であってもよく、フィルター部、整流部、スイッチング変換部及び出力部を含んで構成されてもよい。前記フィルター部は、入力ラインの雑音による電源部２５００内部の部品損傷発生を防止し、オーディオ帯域以上の高周波ノイズを除去し、安定的な電流供給を受けるように構成することができる。前記整流部は、整流回路、平滑回路及び定電圧回路で構成されてもよい。前記整流回路は、１秒当たり５０Ｈｚ〜６０Ｈｚで振動する交流から＋極性のみをろ過し、前記平滑回路は、一定の電圧に維持させる整流コンデンサーを用いて脈流を一定の電圧に変換し、定電圧回路は、安定的且つ一定の直流を生成する定電圧ダイオード及びトランジスタからなってもよい。前記スイッチング変換部は、前記整流部を通じて一定の直流に変換された電源を、光セラピー装置で必要とする直流電源に減圧させることができる。前記出力部は光源部２３００に電源を供給することができる。
【０２１８】
光源部２３００は、制御部２１００から作動信号を受信して駆動してもよく、例えば、センサー部２２００によって検出された情報に基づいて、制御部２１００は、光源部２３００への電力供給を制御したり、第１発光モジュール１６１及び第２発光モジュール１７１の駆動方法を制御したりすることができる。
【０２１９】
一例として、周辺光の照度を検出する照度センサー２２２０によって検出された照度が予め設定された範囲に該当するかどうかに応じて、光源の電流制御、電圧制御、ＰＷＭ（Ｐｕｌｓｅ  ｗｉｄｔｈ  Ｍｏｄｕｌａｔｉｏｎ）制御、位相制御（ｐｈａｓｅ  ｃｕｔ）などによって光源の作動を制御することができる。例えば、制御部２１００は、照度センサー２２２０によって検出された周辺光の照度情報が予め設定された範囲を超える場合は、ＰＷＭ信号のデューティー比を７０％に設定することによって光出力を高めることができ、照度センサー２２２０によって検出された周辺光の照度情報が予め設定された範囲未満である場合は、ＰＷＭ信号のデューティー比を５０％に設定することによって光出力を低下させることによって、電力を効率的に使用し、昆虫の捕集効率を向上させると同時に、ユーザーへの眩しさ発生などの不便を防止することができる。このとき、前記デューティー比は、一つの周期に対してパルスがオン状態である時間の比率を意味し、数値が高いほど一定時間の間の光出力が増加することを称する。
【０２２０】
一例として、制御部２１００は、温度センサー（図示せず）によって検出された第１発光モジュール１６１又は第２発光モジュール１７１周辺の温度が予め設定された温度範囲を超える場合は、第１発光モジュール１６１又は第２発光モジュール１７１に供給される電力を遮断する信号を光源部２３００に送信することによって、第１発光モジュール１６１又は第２発光モジュール１７１のショートを防止し、捕虫器２０００の耐久性を向上させると同時に、使用上の安全性を向上させることができる。
【０２２１】
一例として、第１発光モジュール１６１又は第２発光モジュール１７１の光度を検出するＵＶセンサー２２１０によって検出された光度が予め設定された範囲に該当するかどうかに応じて、これを表示部（図示せず）に表示することができる。すなわち、捕虫器２０００は、前記光源、例えば、第１発光モジュール１６１の交換時期を予め確認できるようにし、その結果、誘引光による昆虫の光誘引効率を最適な状態に維持し、昆虫の捕集効率を向上させることができる。
【０２２２】
一例として、捕虫器２０００へのユーザーの接近情報を検出するモーションセンサー２２３０によって検出されたユーザーの接近距離情報に応じて第１発光モジュール１６１の光度が制御され得る。モーションセンサー２２３０は、捕虫器２０００周辺のユーザーの動作を感知したり、又は捕虫器２０００への接近距離情報を検出したりできるものであって、超音波センサー、能動型赤外線センサー、光センサー、温度変化で動作を感知する熱線感知方式などを適用してもよい。例えば、前記ユーザーの接近距離情報が予め設定された値未満である場合、第１発光モジュール１６１の光度が減少するように制御され得る。すなわち、捕虫器２０００は、ユーザーが捕虫器２０００の周辺に接近する場合、第１発光モジュール１６１の光度が低下するように設定され、ユーザーが捕虫器２０００に近接して活動するとき、誘引光によって眩しさを感じたり、人体に有害である現象を防止したりすることができる。
【０２２３】
入力部２４００は、文字ボタン、記号ボタン、特殊ボタンなどの多様なキーボードを配列させ、ユーザーから入力を受ける機能を行うことができ、単純なスイッチ形態で構成されてもよい。図面には示していないが、捕虫器２０００が表示部（図示せず）をさらに含む場合、表示部は、例えば、タッチスクリーンパネルに具現されてもよく、このとき、入力部２４００に含まれるキーボードがグラフィック形態でタッチスクリーン画面にオーバーラップされて表示されてもよい。キーボード入力窓の位置及び透明度は、ユーザーによって調節可能であり、前記タッチスクリーンパネルは、画面表示手段であるだけでなく、タッチペンや指などのタッチ手段によってタッチを感知する入力手段を含んでもよい。
【０２２４】
図面には示していないが、捕虫器２０００は表示部（図示せず）をさらに含んでもよい。前記表示部は、制御部２１００によって駆動が制御される捕虫器の各構成、例えば、第１発光モジュール１６１又は第２発光モジュール１７１の駆動情報、又はセンサー部２２００によって検出された情報を表示する表示窓であって、例えば、駆動情報を表示するためのグラフィックユーザーインターフェース（ＧＵＩ；Ｇｒａｐｈｉｃ  Ｕｓｅｒ  Ｉｎｔｅｒｆａｃｅ）を表示することができ、例えば、胴体１１０の前面に設置されてもよい。前記表示部は、ＬＣＤ、ＬＥＤなどのディスプレイ窓として具現したり、又は入力と表示を同時に行えるタッチスクリーンパネルとして具現したりしてもよい。
【０２２５】
図面には示していないが、捕虫器２０００はアラーム発生部（図示せず）をさらに含んでもよい。前記アラーム発生部は、センサー部２２００によって検出されたデータ値が予め設定されたデータ値を超えたり、センサー部２２００によって検出されたデータ値が予め設定されたデータ値未満であったりする場合、制御部２１００から前記アラーム発生部にアラームを発生する信号を送信することができる。このとき、前記アラームは、光又は音で表示されてもよく、通信モジュールを介してユーザーの電子装置、例えば、携帯用端末機に表示されてもよい。例えば、前記アラーム発生部は、ＵＶセンサー２２１０によって検出された第１発光モジュール１６１又は第２発光モジュール１７１の光度が予め設定された範囲未満である場合にアラームを発生させることができ、このときのアラームは、光源交換信号を表示することができる。例えば、前記アラーム発生部は、温度センサー（図示せず）によって検出された第１発光モジュール１６１又は第２発光モジュール１７１周辺の温度が予め設定された範囲を超える場合にアラームを発生させることができ、このときのアラームは、第１発光モジュール１６１又は第２発光モジュール１７１の危険警告信号を表示することができる。
【０２２６】
センサー部２２００は、図２０に示したように、各センサーを含んでもよく、ＵＶセンサー２２１０、照度センサー２２２０、及びモーションセンサー２２３０を含んでもよく、各センサーが行う機能は上述した通りである。
【０２２７】
図２１は、本発明に係る照度センサーによる光源制御を示した構成ブロック図である。
【０２２８】
捕虫器２０００は、照度センサー２２２０によって周辺光の照度を検出し、それによって光源２２２４の作動を制御できるものであって、図２１を参照すると、照度センサー２２２０、増幅器２２２１、ＡＤコンバータ２２２２、ＭＣＵ２２２３、及び光源２２２４を含んで駆動してもよい。このとき、光源２２２４は、例えば、第１発光モジュール１６１を称することができる。
【０２２９】
一例として、照度センサー２２２０によって周辺光の照度が検出されると、検出信号に対するＡＤＣ（Ａｎａｌｏｇ−Ｄｉｇｉｔａｌ  ｃｏｎｖｅｒｔｅｒ）を行う前にアナログ信号がノイズなどによって変化しないように構成し、アナログ信号を元の信号に近くなるように処理したり、ＡＤＣ遂行のための容易な条件にするために増幅器（Ａｍｐｌｉｆｉｅｒｓ、Ａｍｐ）２２２１を用いて信号処理を行ったりすることができる。このとき、増幅器２２２１によるアナログ信号処理（Ａｎａｌｏｇ  ｓｉｇｎａｌ  ｐｒｏｃｅｓｓｉｎｇ）は、増幅、雑音除去のためのフィルタリングなどが主な機能になり得る。また、アナログ信号処理のために、増幅器２２２１が含まれたアナログ信号であるアナログ信号チェーン（Ａｎａｌｏｇ  Ｓｉｇｎａｌ  Ｃｈａｉｎ）が含まれてもよい。
【０２３０】
一例として、ＭＣＵ（Ｍｉｃｒｏ  Ｃｏｎｔｒｏｌｌｅｒ  Ｕｎｉｔ）２２２３は、ＣＰＵコア、メモリ及びプログラム可能な入／出力を含んでもよく、定められた機能を行うようにプログラミングコーディングを行い、この機械語コードが入力できるものであって、照度センサー２２２０によって検出された周辺の照度によって光源２２２４の作動を制御することができ、上述した制御部２１００がこれに取り替えられたり、制御部２１００の下位構成要素としてＭＣＵ２２２３が含まれたりしてもよい。例えば、ＭＣＵ２２２３は、光源２２２４の駆動電流制御、駆動電圧制御、ＰＷＭ（Ｐｕｌｓｅ  ｗｉｄｔｈ  Ｍｏｄｕｌａｔｉｏｎ）制御、位相制御（ｐｈａｓｅ  ｃｕｔ）などによって光源２２２４の作動を制御することができる。例えば、照度センサー２２２０によって検出された周辺の照度が予め設定された範囲を超える場合、ＭＣＵ２２２３は、光源２２２４の駆動電流を高めたり、駆動電圧を高めたり、ＰＷＭデューティー比を高める作動信号を発生し、光源２２２４の動作、例えば、光出力を制御することができる。
【０２３１】
一例として、ＭＣＵ２２２３は、ＰＷＭ（Ｐｕｌｓｅ  ｗｉｄｔｈ  Ｍｏｄｕｌａｔｉｏｎ）制御方式で光源２２２４の作動を制御することができる。図２２〜図２４は、本発明に係る光源２２２４のＰＷＭ制御による駆動電圧の波形を示した図であって、図２２〜図２４を参照すると、ＭＣＵ２２２３によって生成されたＰＷＭ信号に応じて、光源２２２４に印加される駆動電圧ＶｐをＰＷＭ制御するように構成されてもよい。前記ＰＷＭ制御は、直流を供給する代わりに、パルス波形で駆動する制御方式であって、低い駆動電流でも同一の光出力を発生させることができ、連続駆動より多くの電流が流入可能になり、光到達距離を向上させることができる。すなわち、捕虫器２０００は、光源２２２４をＰＷＭ制御させることによって、電力を経済的に使用すると同時に、昆虫の光誘引効率を向上させ、昆虫の捕集効率を向上させることができる。
【０２３２】
例えば、昼間又は周辺照度が高い環境の場合、ユーザーは、入力部２４００を介して光源２２２４の光出力を高める信号を入力することができる。このとき、制御部２１００は、ＰＷＭ駆動のデューティー比を高める信号を光源２２２４に伝送することができ、図２２に示したように、高いデューティー比でＰＷＭが制御され、光源２２２４の光出力が向上することによって、昆虫の光誘引効率を向上させ、昆虫の捕集効率を向上させることができる。
【０２３３】
例えば、夜間又は周辺照度が低い環境の場合、ユーザーは、入力部２４００を介して光源２２２４の光出力を低下させる信号を入力することができる。このとき、制御部２１００は、ＰＷＭ駆動のデューティー比を低下させる信号を光源２２２４に伝送することができ、図２３に示したように、低いデューティー比でＰＷＭが制御され、光源２２２４の光出力が低下することによって、昆虫の光誘引効率を維持し、且つ昆虫の捕集効率も維持すると共に、不要な電力浪費を防止し、ユーザーの眩しさを防止することによって使用の便宜性を向上させることができる。
【０２３４】
例えば、周辺照度が変化する場合、ユーザーが入力部２４００を介して光源２２２４の光出力を制御する別途の信号を入力しなかったとしても、上述した照度センサー２２２０によって検出された周辺照度に応じて光源２２２４の光出力が自動的に制御され得る。例えば、図２４を参照すると、周辺照度が低い場合、相対的に低いデューティー比、例えば、ＰＷＭ信号が５０％のデューティー比を有するようにＭＣＵ２２２３からＰＷＭ信号を光源２２２４に伝送することができ、周辺照度が漸次高くなって予め設定された範囲に該当する場合、相対的に高いデューティー比、例えば、ＰＷＭ信号が７０％のデューティー比を有するようにＭＣＵ２２２３からＰＷＭ信号を光源に伝送することができる。すなわち、捕虫器２０００は、電圧又は電流を直接変化させなくても、ＰＷＭ信号のデューティー比を制御することによって、周辺照度に応じて光源２２２４の光出力が自動的に制御できるようにし、その結果、不要な電力浪費を防止し、ユーザーの眩しさを防止し、使用の便宜性を向上させると同時に、昆虫の光誘引効率を向上させ、昆虫の捕集効率を向上させることができる。
【０２３５】
例えば、前記周辺照度に対して予め設定された範囲は多くの段階に設定され得る。例えば、周辺照度がＡ区間、Ｂ区間、Ｃ区間、…、ｎ区間に該当する場合、ＰＷＭ信号のデューティー比がＡ'％、Ｂ'％、Ｃ'％、…、ｎ'％になるようにＭＣＵ２２２３からＰＷＭ信号を光源に伝送することができる。すなわち、捕虫器は、周辺照度の変化に応じて段階的に光出力が変化するように制御されることによって、不要な電力浪費を防止し、ユーザーの眩しさを防止し、使用の便宜性を向上させると同時に、昆虫の光誘引効率を向上させ、昆虫の捕集効率を向上させることができる。
【０２３６】
図２５は、本発明の一実施例に係る光源の回路を概略的に示した図である。
【０２３７】
図２５を参照すると、光源２２２４は、複数のＬＥＤ１、２、３、４、５、６、ｎを含んでもよく、前記複数のＬＥＤ１、２、３、４、５、６、ｎがそれぞれ個別的に駆動してもよく、制御部２１００で発生した制御信号に応じて順次駆動してもよく、交互に駆動してもよい。例えば、上述した照度センサー２２２０によって検出された周辺照度が予め設定された範囲未満である場合は、第１ＬＥＤ１、第３ＬＥＤ３、第５ＬＥＤ５、…、第ｎＬＥＤｎにのみ電力が供給され得る。一方、上述した照度センサー２２２０によって検出された周辺照度が予め設定された範囲を超える場合は、全てのＬＥＤ１、２、３、４、５、６、ｎに電力が供給され得る。また、予め設定された周辺照度の範囲が段階別に設定された場合、各段階に応じて電力が供給される前記複数のＬＥＤ１、２、３、４、５、６、ｎの個数が順次増加するように駆動してもよい。
【０２３８】
このとき、ＬＥＤ入力スイッチ２４００ａは、第１ＬＥＤ１、第２ＬＥＤ２、第３ＬＥＤ３、第４ＬＥＤ４、第５ＬＥＤ５、第６ＬＥＤ６、…、第ｎＬＥＤｎのうち少なくともいずれか一つ以上の光源を選択するためのスイッチであって、１−Ｓ／Ｗ、２−Ｓ／Ｗ、３−Ｓ／Ｗ、４−Ｓ／Ｗ、５−Ｓ／Ｗ、６−Ｓ／Ｗ、…、ｎ−Ｓ／Ｗに区分されてもよく、前記スイッチ全体又はそれぞれに個別的に電気的信号を送るボタンが入力部２４００に設けられてもよい。また、第１〜第ｎＬＥＤ１、２、３、４、５、６、ｎは、それぞれ同一の種類同士が連結されて光源駆動回路２３００ａと連結され、光源駆動回路２３００ａは、制御部２１００と連結されてオン／オフになり得る。
【０２３９】
図２６〜図２８は、それぞれ本発明の一実施例に係る捕虫器を示した図であって、上述したＵＶセンサー２２１０、３２１０、照度センサー２２２０、３２２０、モーションセンサー２２３０のそれぞれの設置位置を例に挙げて説明する。本発明に係る各センサーは、検出の効率性を向上させ、相互干渉が発生しない構造を取ることによって、電力を効率的に消費すると同時に昆虫の光誘引効率を向上させ、ユーザーの眩しさを防止し、使用の便宜性を増大させ、誘引光の交換時期を予め確認することによって昆虫の光誘引効果を最適な状態に維持するために、後述する構成を適用した。
【０２４０】
図２６〜図２８を参照すると、モーションセンサー２２３０は、第１発光ダイオードチップ１６３から放出される光の進行方向と同一の方向に向かうように設置され、捕虫器２０００周辺のユーザーの接近距離情報を検出することができ、駆動及び第１発光モジュール１６１の制御方法は上述した通りである。例えば、モーションセンサー２２３０は、第１発光モジュール１６１の上部又は下部に設置されてもよく、胴体１１０に設置されてもよい。すなわち、モーションセンサー２２３０は、第１発光ダイオードチップ１６３から放出される光の進行方向と同一の方向に向かうように設置され、周辺のユーザーが単純に捕虫器２０００周辺に接近する場合でなく、第１発光モジュール１６１に接近する場合に、第１発光モジュール１６１から放出される光の光度を減少させ、モーションセンサー２２３０によるユーザーの便宜性増大効果を極大化させることができる。
【０２４１】
また、ＵＶセンサー２２１０、３２１０は、第１発光モジュール設置部１６０に設置され、第１発光モジュール１６１から放出される光の光度情報を検出することができ、駆動及び表示方法は上述した通りである。例えば、図２６に示したように、ＵＶセンサー２２１０は、第１発光基板１６２に設置され、第１発光モジュール１６１から放出される光の光度を効率的に検出すると同時に、回路の構成を簡単に制御することができる。このとき、捕虫器２０００は、板形状の第１発光モジュール設置部１６０を含み、第１発光モジュール１６１が第１発光モジュール設置部１６０の下部に設置されてもよい。例えば、図２７に示したように、ＵＶセンサー３２１０は、板形状の第１発光モジュール設置部１６０の下面に設置されてもよい。すなわち、ＵＶセンサー２２１０、３２１０は、第１発光モジュール１６１から放出される光が直接照射され、捕虫器２０００の外部から放出された光が第１発光モジュール設置部１６０によって遮られてＵＶセンサー２２１０、３２１０に直接照射されない形態が適用され、ＵＶセンサー２２１０、３２１０による第１発光モジュール１６１から放出される光の光度検出効率を向上させることができる。
【０２４２】
また、照度センサー２２２０、３２２０は、捕虫器２０００の周辺光の照度を検出するものであって、駆動及び表示方法は上述した通りである。例えば、図２６〜図２７に示したように、第１発光モジュール設置部支持台１０は、胴体１１０上に第１発光モジュール設置部１６０を離隔させて支持し、第１発光モジュール１６１から放出される光を遮らないように第１発光モジュール１６１の側面方向に配置される形態である。このとき、照度センサー２２２０は、第１発光モジュール設置部支持台１０に設置されてもよく、例えば、所定の長さｈ及び厚さｄを有する第１発光モジュール設置部支持台１０において第１発光モジュール１６１が設置された方向の反対方向に設置され、第１発光モジュール１６１から放出される光が照度センサー２２２０に照射されない形態であってもよい。例えば、図２８に示したように、第１発光モジュール設置部１６０は、第１発光モジュール１６１が上部から下部の方向に挿入され、第１発光モジュール１６１が第１発光モジュール設置部１６０の下面に位置する形態である。このとき、照度センサー３２２０は、第１発光モジュール設置部支持台１０上に設置されてもよく、例えば、屋根１６５上に設置され、第１発光モジュール１６１から放出される光が照度センサー３２２０に照射されない形態であってもよい。すなわち、照度センサー２２２０、３２２０は、捕虫器２０００の外部から放出される光が直接照射され、第１発光モジュール１６１から放出される光が照射されない構造が適用され、照度センサー２２２０による照度検出効率を向上させることができる。
【０２４３】
一方、従来の捕虫器においては、暗条件でも明条件と同一の光出力の光を放出し、ユーザーの眩しさ問題及びエネルギー過多消費問題があった。そこで、本発明の発明者等は、暗条件で光出力を特定数値以下に低く制御しながらも捕集効率を維持できる捕虫器を開発するために関連する実験を繰り返した。
【０２４４】
本明細書で称する前記暗条件は、照度センサーによって検出された外部光の照度が０〜２０ｌｕｘであったり、又はＵＶセンサーによって検出された光度が０〜１０ｍＷであったりする場合を含む。
【０２４５】
本発明の一実施例に係る捕虫器２０００は、暗条件で１００ｍＷ以下の光出力の光を放出するように手動で制御されたり、照度センサー２２２０、３２２０によって検出された外部光の照度が暗条件情報として制御部２１００に入力されると、制御部２１００は、第１発光モジュール１６１の光出力が１００ｍＷ以下になるように第１発光モジュール１６１の光出力を自動的に制御されたりすることができる。
【０２４６】
したがって、捕虫器２０００は、暗条件で蚊の捕集効率を維持しながらも、ユーザーの眩しさ発生問題及びエネルギー過多消費問題を解決することができる。
【０２４７】
以下、実施例、比較例及び実験例を記述することによって本発明をより詳細に説明する。但し、下記の実施例、比較例及び実験例は本発明の一例示に過ぎず、本発明の内容がこれに限定されるものと解釈してはならない。
【０２４８】
実験例１−空気集塵部の垂直断面における地面に対して形成された角度の制御
空気集塵部の垂直断面における地面に対して形成された角度に応じて、捕集部に捕集された蚊が空気集塵部吐出口を通過して捕虫器の外側に脱出する頻度を測定するために下記のように実験を進めた。
【０２４９】
具体的に、蚊が容易に脱出できるように空気集塵部吐出口が直径５０ｍｍの円形で、空気集塵部の垂直断面における地面に対して形成された角度が８０゜、７０゜、４５゜、３０゜になるように各空気集塵部を製造し、これを含む本発明の一実施例に係る前記捕虫器を製造した。
【０２５０】
そして、蚊が２０個体ずつ捕集部に捕集された捕虫器の電力供給を遮断し、１５時間放置した後、前記捕虫器から流出された蚊の個体数を測定した。
【０２５１】
【表１】
2019525745.tif 000003
【０２５２】
前記表１に示したように、空気集塵部の垂直断面の地面に対する勾配が大きいほど、蚊が捕虫器から流出される比率が低いことを、実験を通じて確認し、実際に蚊が空気集塵部の内壁又は外壁にくっ付く現象を肉眼で観察することができた。
【０２５３】
実験例２−空気集塵部吐出口の垂直方向長さの制御
空気集塵部吐出口の垂直方向長さに応じて、捕集部に捕集された蚊が空気集塵部吐出口を通過して捕虫器の外側に脱出する頻度を測定するために下記のように実験を進めた。
【０２５４】
具体的に、蚊が容易に脱出できるように空気集塵部吐出口が直径５０ｍｍの円形で、垂直方向長さが０ｍｍ、２ｍｍ、５ｍｍ、１０ｍｍになるように空気集塵部吐出口をそれぞれ製造し、これを含む本発明の一実施例に係る前記捕虫器を製造した。
【０２５５】
そして、蚊が２０個体ずつ捕集部に捕集された捕虫器の電力供給を遮断し、１５時間放置した後、前記捕虫器から流出された蚊の個体数を測定した。
【０２５６】
【表２】
2019525745.tif 000004
【０２５７】
前記表２に示したように、垂直形状である空気集塵部吐出口の長さが長いほど、蚊が捕虫器から流出される比率が低いことを、実験を通じて確認し、実際に蚊が垂直形状である空気集塵部吐出口の内壁又は外壁にくっ付く現象を肉眼で観察することができた。
【０２５８】
実験例３−空気集塵部格子の形態制御
空気集塵部格子の形態に応じて、捕集部に捕集された蚊が空気集塵部吐出口を通過して捕虫器の外側に脱出する頻度を測定するために下記のように実験を進めた。
【０２５９】
具体的に、空気集塵部格子が長さ及び幅を有する一つの棒形状である場合（四角形）と、長さ及び幅を有する二つの棒形状部分を、幅の一部が重畳するように重ねた形状である場合（階段型）との二つの形態の空気集塵部を製造し、これを含む本発明の一実施例に係る前記捕虫器を製造した。
【０２６０】
そして、蚊が２０個体ずつ捕集部に捕集された捕虫器の電力供給を遮断し、１５時間放置した後、前記捕虫器から流出された蚊の個体数を測定した。
【０２６１】
【表３】
2019525745.tif 000005
【０２６２】
前記表３に示したように、空気集塵部格子が長さ及び幅を有する一つの棒形状である場合（四角形）に比べて、長さ及び幅を有する二つの棒形状部分を、幅の一部が重畳するように重ねた形状である場合（階段型）に蚊が捕虫器から流出される比率が低いことを、実験を通じて確認した。
【０２６３】
実験例４−暗条件での光出力制御
暗条件での光出力が蚊の捕集効率に及ぼす影響を確認するために下記のように実験を進めた。
【０２６４】
暗条件：照度センサーによって検出された外部光の照度が０〜２０ｌｕｘ、又はＵＶセンサーによって検出された光度が０〜１０ｍＷ
【０２６５】
試験場所：２４ｍ2の閉鎖された空間
【０２６６】
光照射時間：第１発光モジュールが点灯してから１５時間
【０２６７】
対象蚊：アカイエカの雌２５個体
【０２６８】
【表４】
2019525745.tif 000006
【０２６９】
前記表４に示したように、暗条件では、第１発光モジュール、すなわち、誘引光の光出力の強さが蚊の捕集率にほぼ影響を及ぼさないことが確認され、特に、１００ｍＷの光出力条件及び１，０００ｍＷの光出力条件での蚊捕集率にほぼ差が表れないことが確認された。すなわち、本発明の一実施例に係る捕虫器は、暗条件で低い光出力を使用して高い捕集効率を維持できるようにし、その結果、従来の捕虫器から放出される誘引光によるユーザーの眩しさ発生問題及びエネルギー過多消費問題を解決することができた。
【０２７０】
したがって、暗条件でユーザーが第１発光モジュールの光出力を１００ｍＷ以下になるように手動で制御したり、又は照度センサーによって検出された外部光の照度が２０ｌｕｘ以下である場合、上述した制御部で第１発光モジュールの光出力を自動的に制御したりすることによって、蚊の捕集効率を維持しながらもユーザーの眩しさ発生問題及びエネルギー過多消費問題を解決することができ、第１発光ダイオードチップの寿命が延長され、交換周期が増加するにつれて高い光誘引効率が維持され、ユーザーの便宜性が向上したことを、実験を通じて確認した。
【０２７１】
以上のように、本発明は、添付の図面を参照した実施例によって具体的に説明した。しかし、上述した実施例は、本発明の好ましい例を挙げて説明したものに過ぎないので、本発明が前記実施例にのみ限定されるものと理解してはならず、本発明の権利範囲は、後述する特許請求の範囲及びその等価概念で理解すべきであろう。
【符号の説明】
【０２７２】
１０００、２０００    捕虫器
１１０    胴体
１２０    昆虫通過部
１２１    昆虫通過穴
１２２    第１突出部
１３０、２３０、３３０    空気集塵部
１３０ａ    空気集塵部格子
１３０ｂ    空気集塵部側面口
１３１    空気集塵部入口部
１３２    空気集塵部中間部
１３３    空気集塵部吐出口
１４０    モーター
１５０    吸入ファン
１５１    ファン羽根
１６０、１１６０    第１発光モジュール設置部
１６１、２６１、３６１、１１６２、１２６２、１３６２、１４６２、１５６２、１６６２    第１発光モジュール
１６２、２６２、３６２、４６２、５６２、６６２    第１発光基板
１６３、２６３、３６３    第１発光ダイオードチップ
１１６４、１６４、３２６４、３３６４    第１発光モジュールカバー
３４６４    光発散角変換部
１２６４、２６４    前面
１２６５    突出板
１２６６    載置部
１２６７    結合部
１２６８    ハウジング
１２６９    結合部段差
３６４    カバー枠部
４６４    カバー段部
１４６４    カバー段部ガイド部
５６４    カバー突出部
１５６４    カバー突出部ガイド部
６６４、７６４    第１発光モジュール挿入溝
１６５    屋根
２６５    圧着部
３６５    圧着部突出部
４６５    圧着プレート
１６６    カバー挿入溝
１６７    段差
１７０    第２発光モジュール設置部
１７１    第２発光モジュール
１７２    第２発光基板
１７３    第２発光ダイオードチップ
１７４    第２突出部
１８０    光触媒フィルター
１９０    捕集部
１９１    捕集部側面口
１０、１１    第１発光モジュール設置部支持台
１１ａ    長さ調節部
２０、２１、２２    光触媒フィルター設置部
３０    スイッチ
２１００    制御部
２２００    センサー部
２３００    光源部
２４００    入力部
２５００    電源部
２２１０、３２１０    ＵＶセンサー
２２２０、３２２０    照度センサー
２２３０    モーションセンサー
２２２１    増幅器
２２２２    ＡＤコンバータ
２２２３    ＭＣＵ
２２２４    光源
２３００ａ    光源駆動回路
２４００ａ    ＬＥＤ入力スイッチ
１１６０ａ    第１発光モジュール挿入溝
２６３ａ、３６３ａ    発光チップ
２６３ｂ、３６３ｂ    光出射部
２６３ｃ、３６３ｃ    フランジ
２６３ｄ、３６３ｄ    基板
ｈ、ｈ'    光出射部の高さ
ｒ、ｒ'    光出射部の幅
【図１】
2019525745.tif 000007
【図２】
2019525745.tif 000008
【図３】
2019525745.tif 000009
【図４】
2019525745.tif 000010
【図５】
2019525745.tif 000011
【図６】
2019525745.tif 000012
【図７】
2019525745.tif 000013
【図８】
2019525745.tif 000014
【図９】
2019525745.tif 000015
【図１０】
2019525745.tif 000016
【図１１】
2019525745.tif 000017
【図１２】
2019525745.tif 000018
【図１３】
2019525745.tif 000019
【図１４】
2019525745.tif 000020
【図１５】
2019525745.tif 000021
【図１６】
2019525745.tif 000022
【図１７】
2019525745.tif 000023
【図１８】
2019525745.tif 000024
【図１９】
2019525745.tif 000025
【図２０】
2019525745.tif 000026
【図２１】
2019525745.tif 000027
【図２２】
2019525745.tif 000028
【図２３】
2019525745.tif 000029
【図２４】
2019525745.tif 000030
【図２５】
2019525745.tif 000031
【図２６】
2019525745.tif 000032
【図２７】
2019525745.tif 000033
【図２８】
2019525745.tif 000034
【図２９】
2019525745.tif 000035
【図３０】
2019525745.tif 000036
【図３１】
2019525745.tif 000037
【図３２】
2019525745.tif 000038
【図３３】
2019525745.tif 000039
【図３４】
2019525745.tif 000040
【手続補正書】
【提出日】平成30年5月4日(2018.5.4)
【手続補正１】
【補正対象書類名】特許請求の範囲
【補正対象項目名】全文
【補正方法】変更
【補正の内容】
【特許請求の範囲】
【請求項１】
吸入ファンが装着された胴体、
前記胴体の上部に配置され、第１発光モジュールが設置される第１発光モジュール設置部、
前記第１発光モジュール設置部上に装着可能な屋根、
前記胴体の下部に配置された捕集部、及び
前記胴体の下部において前記捕集部内に配置され、前記吸入ファンから遠くなるほど直径が狭くなるテーパー形状を含む空気集塵部、を含み、
前記第１発光モジュール設置部は、前記第１発光モジュールの少なくとも一部に対応するように装着される第１発光モジュールカバーを含み、
前記屋根には、前記第１発光モジュール及び前記第１発光モジュールカバーのうち少なくともいずれか一つを圧着する圧着部が設けられた、捕虫器。
【請求項２】
前記空気集塵部は、垂直断面の勾配が異なる２以上の区間を含む、請求項１に記載の捕虫器。
【請求項３】
前記空気集塵部は、前記吸入ファンによって流入した空気を通過させるための複数の空気集塵部格子、及び前記複数の空気集塵部格子の間に設けられた空気集塵部側面口を含む、請求項２に記載の捕虫器。
【請求項４】
前記空気集塵部格子のそれぞれは、長さ及び幅を有する二つの棒形状部分を、幅の一部が重畳するように重ねた形状を有し、一つの空気集塵部格子の上側に配置された部分は、隣り合う空気集塵部格子の下側に配置された部分の近くに配置された、請求項３に記載の捕虫器。
【請求項５】
前記第１発光モジュールカバーは、
前面、
前記前面の少なくとも一辺に設けられるカバー枠部、及び
前記カバー枠部から突出した突出部、を含み、
前記前面は、前記カバー枠部より厚さが薄い、請求項１に記載の捕虫器。
【請求項６】
前記突出部は、
前記カバー枠部から延長され、長さ方向に形成されたカバー突出部、及び
前記カバー枠部から延長され、高さ方向に形成されたカバー段部、を含み、
前記カバー突出部及び前記カバー段部は、前記第１発光モジュールカバーにおいてそれぞれ異なる面に配置された、請求項５に記載の捕虫器。
【請求項７】
前記第１発光モジュール設置部は、
第１発光モジュール挿入溝、
カバー挿入溝、
前記カバー挿入溝において前記第１発光モジュール挿入溝が配置された方向に設けられたカバー段部ガイド部、及び
前記カバー挿入溝において前記第１発光モジュール挿入溝から遠くなる方向に設けられたカバー突出部ガイド部、を含む、請求項６に記載の捕虫器。
【請求項８】
前記カバー段部ガイド部及び前記カバー突出部ガイド部には、前記カバー挿入溝を挟んで段差が設けられた、請求項７に記載の捕虫器。
【請求項９】
前記圧着部は、前記第１発光モジュールカバーが装着される方向に突出した圧着部突出部をさらに含み、
前記圧着部突出部は、前記第１発光モジュールカバーを、前記カバー段部が設けられた面から前記カバー突出部が設けられた面の方向に圧着する、請求項１に記載の捕虫器。
【請求項１０】
前記第１発光モジュールカバーには、前記第１発光モジュールが挿入可能になるように開口された空間が設けられ、少なくとも一面は透明領域を含み、
前記第１発光モジュール設置部には開口部が設けられ、前記第１発光モジュールカバーの少なくとも一部が前記開口部に引き込まれ、前記第１発光モジュールカバーに設けられた載置部が前記第１発光モジュール設置部の上面に載置され、
前記屋根が前記第１発光モジュール設置部及び前記第１発光モジュールカバー上に装着される、請求項１に記載の捕虫器。
【請求項１１】
吸入ファンが装着された胴体、
前記吸入ファンの下部に設置され、第２発光モジュールが設置される第２発光モジュール設置部、
前記胴体の上部に配置され、第１発光モジュールが設置される第１発光モジュール設置部、
前記第１発光モジュール設置部上に装着可能な屋根、及び
前記胴体の下部に配置された捕集部、を含み、
前記第１発光モジュール設置部は、前記第１発光モジュールの少なくとも一部に対応するように装着される第１発光モジュールカバーを含み、
前記屋根には、前記第１発光モジュール及び前記第１発光モジュールカバーのうち少なくともいずれか一つを圧着する圧着部が設けられ、捕虫器。
【請求項１２】
前記第２発光モジュール設置部の下部に配置される光触媒フィルターをさらに含み、
前記第２発光モジュール設置部には、前記光触媒フィルターの方向に光を照射するように設置される第２発光モジュールが装着される、 請求項１１に記載の捕虫器。
【請求項１３】
前記胴体の下部に配置され、前記吸入ファンから遠くなるほど直径が狭くなるテーパー形状である空気集塵部をさらに含み、
前記第２発光モジュール設置部の下部に配置され、前記空気集塵部から延長された光触媒フィルター設置部を有する、請求項１２に記載の捕虫器。
【請求項１４】
前記第２発光モジュール設置部の下部に延長され、前記第２発光モジュール設置部において第２発光モジュールが実装される領域を覆う第２突出部を有する、請求項１３に記載の捕虫器。
【請求項１５】
前記空気集塵部は、空気集塵部入口部、空気集塵部中間部、及び空気集塵部吐出口を含み、垂直断面の勾配のサイズが空気集塵部吐出口＞空気集塵部入口部＞空気集塵部中間部の順であって、
前記空気集塵部吐出口は、前記捕集部の方向に延長されたシリンダー形状である、請求項１４に記載の捕虫器。
【請求項１６】
吸入ファンが装着された胴体、
前記胴体の上部に配置され、第１発光モジュールが設置される第１発光モジュール設置部、
前記第１発光モジュール設置部上に装着可能な屋根、
前記胴体の下部に配置された捕集部、及び
センサー部、を含み、
前記センサーは、周辺光の照度を検出する照度センサー、ユーザーの接近情報を検出するモーションセンサー、及び前記第１発光モジュール設置部に設置される第１発光モジュールの光度情報を検出するＵＶセンサーのうち少なくともいずれか一つを含み、
前記第１発光モジュール設置部は、前記第１発光モジュールの少なくとも一部に対応するように装着される第１発光モジュールカバーを含み、
前記屋根には、前記第１発光モジュール及び前記第１発光モジュールカバーのうち少なくともいずれか一つを圧着する圧着部が設けられた、捕虫器。
【請求項１７】
前記接近情報は接近距離情報を含み、
前記ユーザーの接近距離情報が予め設定された値未満である場合、第１発光モジュールの光度が減少する、請求項１６に記載の捕虫器。
【請求項１８】
前記第１発光モジュール設置部は、下部に第１発光モジュールが設置される板状部を含み、
前記ＵＶセンサーは、前記板状部の下面に設置され、前記第１発光モジュールから放出される光が直接照射され、前記捕虫器の外部から放出された光が前記第１発光モジュール設置部によって遮られて前記ＵＶセンサーに直接照射されない形態である、請求項１６に記載の捕虫器。
【請求項１９】
前記第１発光モジュール設置部は、下部に第１発光モジュールが設置される板状部を含み、
前記ＵＶセンサーは、前記第１発光基板に設置され、前記第１発光モジュールから放出される光が直接照射され、前記捕虫器の外部から放出された光が前記第１発光モジュール設置部によって遮られて前記ＵＶセンサーに直接照射されない形態である、請求項１６に記載の捕虫器。
【請求項２０】
前記照度センサーで検出された周辺光の照度が２０ｌｕｘ以下である場合、前記第１発光モジュールから放出される光の光出力が１００ｍＷ以下になるように前記第１発光モジュールの光出力が制御される、請求項１６に記載の捕虫器。
【請求項２１】
前記第１発光モジュールから放出される光の光出力が１００ｍＷ以下である、請求項１、１１及び１６のいずれか１項に記載の捕虫器。
【手続補正書】
【提出日】平成31年3月4日(2019.3.4)
【手続補正１】
【補正対象書類名】特許請求の範囲
【補正対象項目名】全文
【補正方法】変更
【補正の内容】
【特許請求の範囲】
【請求項１】
吸入ファンが装着された胴体、
前記胴体の上部に配置され、第１発光モジュールが設置される第１発光モジュール設置部、
前記第１発光モジュール設置部上に装着可能な屋根、
前記胴体の下部に配置された捕集部、及び
前記胴体の下部において前記捕集部内に配置され、前記吸入ファンから遠くなるほど直径が狭くなるテーパー形状を含む空気集塵部、を含み、
前記第１発光モジュール設置部は、前記第１発光モジュールの少なくとも一部に対応するように装着される第１発光モジュールカバーを含み、
前記屋根には、前記第１発光モジュール及び前記第１発光モジュールカバーのうち少なくともいずれか一つを圧着する圧着部が設けられた、捕虫器。
【請求項２】
前記空気集塵部は、垂直断面の勾配が異なる２以上の区間を含む、請求項１に記載の捕虫器。
【請求項３】
前記空気集塵部は、前記吸入ファンによって流入した空気を通過させるための複数の空気集塵部格子、及び前記複数の空気集塵部格子の間に設けられた空気集塵部側面口を含む、請求項２に記載の捕虫器。
【請求項４】
前記空気集塵部格子のそれぞれは、長さ及び幅を有する二つの棒形状部分を、幅の一部が重畳するように重ねた形状を有し、一つの空気集塵部格子の上側に配置された部分は、隣り合う空気集塵部格子の下側に配置された部分の近くに配置された、請求項３に記載の捕虫器。
【請求項５】
前記第１発光モジュールカバーは、
前面、
前記前面の少なくとも一辺に設けられるカバー枠部、及び
前記カバー枠部から突出した突出部、を含み、
前記前面は、前記カバー枠部より厚さが薄い、請求項１に記載の捕虫器。
【請求項６】
前記突出部は、
前記カバー枠部から延長され、長さ方向に形成されたカバー突出部、及び
前記カバー枠部から延長され、高さ方向に形成されたカバー段部、を含み、
前記カバー突出部及び前記カバー段部は、前記第１発光モジュールカバーにおいてそれぞれ異なる面に配置された、請求項５に記載の捕虫器。
【請求項７】
前記第１発光モジュール設置部は、
第１発光モジュール挿入溝、
カバー挿入溝、
前記カバー挿入溝において前記第１発光モジュール挿入溝が配置された方向に設けられたカバー段部ガイド部、及び
前記カバー挿入溝において前記第１発光モジュール挿入溝から遠くなる方向に設けられたカバー突出部ガイド部、を含む、請求項６に記載の捕虫器。
【請求項８】
前記カバー段部ガイド部及び前記カバー突出部ガイド部には、前記カバー挿入溝を挟んで段差が設けられた、請求項７に記載の捕虫器。
【請求項９】
前記圧着部は、前記第１発光モジュールカバーが装着される方向に突出した圧着部突出部をさらに含み、
前記圧着部突出部は、前記第１発光モジュールカバーを、前記カバー段部が設けられた面から前記カバー突出部が設けられた面の方向に圧着する、請求項１に記載の捕虫器。
【請求項１０】
前記第１発光モジュールカバーには、前記第１発光モジュールが挿入可能になるように開口された空間が設けられ、少なくとも一面は透明領域を含み、
前記第１発光モジュール設置部には開口部が設けられ、前記第１発光モジュールカバーの少なくとも一部が前記開口部に引き込まれ、前記第１発光モジュールカバーに設けられた載置部が前記第１発光モジュール設置部の上面に載置され、
前記屋根が前記第１発光モジュール設置部及び前記第１発光モジュールカバー上に装着される、請求項１に記載の捕虫器。
【請求項１１】
吸入ファンが装着された胴体、
前記吸入ファンの下部に設置され、第２発光モジュールが設置される第２発光モジュール設置部、
前記第２発光モジュール設置部の下部に配置される光触媒フィルター、
前記胴体の上部に配置され、第１発光モジュールが設置される第１発光モジュール設置部、
前記第１発光モジュール設置部上に装着可能な屋根、及び
前記胴体の下部に配置された捕集部、を含み、
前記第１発光モジュール設置部は、前記第１発光モジュールの少なくとも一部に対応するように装着される第１発光モジュールカバーを含み、
前記屋根には、前記第１発光モジュール及び前記第１発光モジュールカバーのうち少なくともいずれか一つを圧着する圧着部が設けられ、
前記第２発光モジュール設置部には、前記光触媒フィルターの方向に光を照射するように設置される第２発光モジュールが装着される、捕虫器。
【請求項１２】
前記胴体の下部に配置され、前記吸入ファンから遠くなるほど直径が狭くなるテーパー形状である空気集塵部をさらに含み、
前記第２発光モジュール設置部の下部に配置され、前記空気集塵部から延長された光触媒フィルター設置部を有する、請求項１１に記載の捕虫器。
【請求項１３】
前記第２発光モジュール設置部の下部に延長され、前記第２発光モジュール設置部において第２発光モジュールが実装される領域を覆う第２突出部を有する、請求項１２に記載の捕虫器。
【請求項１４】
前記空気集塵部は、空気集塵部入口部、空気集塵部中間部、及び空気集塵部吐出口を含み、垂直断面の勾配のサイズが空気集塵部吐出口＞空気集塵部入口部＞空気集塵部中間部の順であって、
前記空気集塵部吐出口は、前記捕集部の方向に延長されたシリンダー形状である、請求項１３に記載の捕虫器。
【請求項１５】
吸入ファンが装着された胴体；
前記胴体の上部に配置され、第１発光モジュールが設置される第１発光モジュール設置部；
前記第１発光モジュール設置部上に装着可能な屋根；
前記胴体の下部に配置された捕集部；及び
センサー部；を含み、
前記センサーは、周辺光の照度を検出する照度センサー、ユーザーの接近情報を検出するモーションセンサー、及び前記第１発光モジュール設置部に設置される第１発光モジュールの光度情報を検出するＵＶセンサーのうち少なくともいずれか一つを含み、
前記第１発光モジュール設置部は、前記第１発光モジュールの少なくとも一部に対応するように装着される第１発光モジュールカバーを含み、
前記屋根には、前記第１発光モジュール及び前記第１発光モジュールカバーのうち少なくともいずれか一つを圧着する圧着部が設けられた、捕虫器。
【請求項１６】
前記接近情報は接近距離情報を含み、
前記ユーザーの接近距離情報が予め設定された値未満である場合、第１発光モジュールの光度が減少する、請求項１５に記載の捕虫器。
【請求項１７】
前記第１発光モジュール設置部は、下部に第１発光モジュールが設置される板状部を含み、
前記ＵＶセンサーは、前記板状部の下面に設置され、前記第１発光モジュールから放出される光が直接照射され、前記捕虫器の外部から放出された光が前記第１発光モジュール設置部によって遮られて前記ＵＶセンサーに直接照射されない形態である、請求項１５に記載の捕虫器。
【請求項１８】
前記第１発光モジュール設置部は、下部に第１発光モジュールが設置される板状部を含み、
前記ＵＶセンサーは、前記第１発光基板に設置され、前記第１発光モジュールから放出される光が直接照射され、前記捕虫器の外部から放出された光が前記第１発光モジュール設置部によって遮られて前記ＵＶセンサーに直接照射されない形態である、請求項１５に記載の捕虫器。
【請求項１９】
前記照度センサーで検出された周辺光の照度が２０ｌｕｘ以下である場合、前記第１発光モジュールから放出される光の光出力が１００ｍＷ以下になるように前記第１発光モジュールの光出力が制御される、請求項１５に記載の捕虫器。
【請求項２０】
前記第１発光モジュールから放出される光の光出力が１００ｍＷ以下である、請求項１、１１及び１５のいずれか１項に記載の捕虫器。
【国際調査報告】
2019525745.tif 000041
2019525745.tif 000042
2019525745.tif 000043
2019525745.tif 000044